(57)【要約】【課題】  非定型で任意に長さを設定出来る帯状の記録紙上に画像を容易に印刷出力可能な画像形成装置を得ること。【解決手段】  画像入力部１から画像が入力され、記憶部２は、画像入力部１から入力された画像を格納し、設定操作部３は、画像の連結方向を受け入れ、画像連結方向決定手段６−１は、設定操作部３から受け入れた連結方向に応じて出力画像の連結方向を決定し連結位置決定手段６−２は、連結方向の長さを累積加算し、画像連結手段６−３は、上記画像連結方向決定手段６−１と、上記連結位置決定手段６−２の決定に基づいて後に続く画像を連結する。【選択図】        図１ 
2005260767.tif 000002
【特許請求の範囲】
【請求項１】
画像を入力する画像入力部と、
前記画像入力部から入力された画像を記憶する記憶部と、
画像の連結方向を入力する設定操作部と、
該設定操作部から入力された連結方向に応じて出力画像の連結方向を決定する連結方向決定手段と、
連結方向の長さを累積加算する連結位置決定手段と、
前記連結方向決定手段と、
前記連結位置決定手段の決定に基づいて後に続く画像を連結する画像連結手段とを備えることを特徴とする画像形成装置。
【請求項２】
請求項１に記載の画像形成装置に於いて、
前記連結方向決定手段は、前記画像入力部から入力された複数の画像の連結方向を各ページ毎に決定可能であることを特徴とする画像形成装置。
【請求項３】
請求項１に記載の画像形成装置に於いて、
前記連結手段が連結した複数画像の連結端部分を白画像にすべく、前記複数画像の連結端部分の画像を削除する連結部画像削除手段を更に備えることを特徴とする画像形成装置。
【請求項４】
請求項１に記載の画像形成装置に於いて、
画像連結手段が連結した複数画像の画像幅を一定の画像幅に揃えるべく、一定の画像幅を越える画像の超過分の画像を削除し、前記一定の画像幅に不足する画像に不足分の白画像を追加する、画像削除・追加手段を更に備えることを特徴とする画像形成装置。
【請求項５】
請求項１に記載の画像形成装置に於いて、
画像連結手段が連結した複数画像の画像幅を一定の画像幅に揃えるべく、一定の画像幅に不足する画像を前記一定の画像幅に至るまで拡大し、前記一定の画像幅を越える画像を前記一定の画像幅に至るまで縮小する画像拡大・縮小手段を更に備えることを特徴とする画像形成装置。
【請求項６】
請求項１に記載の画像形成装置に於いて、
前記画像連結手段による同一画像の連結を可能とすべく、同一画像の繰り返し回数計数手段を更に備えることを特徴とする画像形成装置。
【請求項７】
請求項１に記載の画像形成装置に於いて、
前記画像連結手段による画像合成を可能とすべく、画像合成手段を更に備えることを特徴とする画像形成装置。
【請求項８】
請求項１に記載の画像形成装置に於いて、
前記画像連結手段による、前記画像入力部が受け入れた画像とは異なる色彩の画像の連結を可能とすべく、画像色変更手段を更に備えることを特徴とする画像形成装置。
【請求項９】
請求項１に記載の画像形成装置に於いて、
前記画像入力部が受け入れた画像から所定の規則に従って分割画像を切り出す画像切り出し手段を更に備え、
前記画像連結手段は、
前記画像切り出し手段によって切り出された画像を前記画像入力部が受け入れた画像と同様に、前記連結方向決定手段及び前記連結位置決定手段の決定に基づいて連結することを特徴とする画像形成装置。
【請求項１０】
請求項１から請求項９までの何れか一項に記載の画像形成装置であって、
前記画像は、原稿画像を読み取って得られる画像情報であることを特徴とする画像形成装置。
【請求項１１】
請求項１から請求項１０までの何れか一項に記載の画像形成装置であって、
印刷画像を出力する画像印刷部を更に備えることを特徴とする画像形成装置。
【請求項１２】
請求項１０に記載の画像形成装置に於いて、
画像印刷に先立って、記録用紙のサイズを計測する記録紙条件設定手段を更に備えることを特徴とする画像形成装置。
【発明の詳細な説明】
【技術分野】
【０００１】
本発明は、画像入力手段と画像出力手段とを備え、複数の画像を連結合成する画像形成装置に関するものである。
【背景技術】
【０００２】
近年、画像入力手段と画像出力手段とを備える複合機等の画像形成装置には、複数枚の原稿画像を一枚の記録紙上に合成して出力することが求められている。この要求を達成するための技術も公開されている（例えば特許文献１又は特許文献２参照）。しかし、これらの技術には、定型サイズの記録媒体上に複数枚の原稿画像を合成する技術が公開されているのみであって、非定型で任意に長さを設定出来る帯状の記録紙上に画像を印刷出力する技術は公開されていない。
【０００３】
従来、非定型で任意に長さを設定出来る帯状の記録紙上に画像を印刷出力する場合には、画像入力手段から受け入れた画像データを画像形成装置の外部に配置されているパーソナルコンピュータ等の端末装置、又は、専用の画像編集装置等を用いて所望の画像を構成することによって目的を達成していた。
【０００４】
しかし、パーソナルコンピュータ等の端末装置、又は、専用の画像編集装置等を用いて所望の画像を構成する場合には、操作者に対して、これら装置の操作習熟と関連ソフトウェアの操作習熟とが求められる。又、これらの装置を用いたシステム構成には、コストアップが伴っていた。
【特許文献１】特開平０６−２９１９８０号公報
【特許文献２】昭６１−１６９０８１号公報
【発明の開示】
【発明が解決しようとする課題】
【０００５】
解決しようとする問題点は、非定型で任意に長さを設定出来る帯状の記録紙上に画像を印刷出力する場合に於いて、パーソナルコンピュータ等の端末装置、又は、専用の画像編集装置等を用いて所望の画像を構成する場合には、操作者に対して、これら装置の操作習熟と関連ソフトウェアの操作習熟とが求められていた点、及び、これらの装置を用いたシステム構成には、コストアップが伴う点である。
【課題を解決するための手段】
【０００６】
本発明では、画像を入力する画像入力部と、上記画像入力部から入力された画像を記憶する記憶部と、画像の連結方向を入力する設定操作部と、該設定操作部から入力された連結方向に応じて連結方向を決定する連結方向決定手段と、連結方向の長さを累積加算する連結位置決定手段と、上記連結方向決定手段、及び、上記連結位置決定手段の決定に基づいて後に続く画像を連結する画像連結手段とを備えることを最も主要な特徴とする。
【発明の効果】
【０００７】
連結方向決定手段が、予め操作者によって設定されている方向に、挿入された原稿の画像を方向変換し、連結位置決定手段が、方向変換された状態で連結位置を決定し、これら両手段の決定に基づいて画像連結手段が、画像を連結するので、原稿挿入方向に対して幅は等しいが長さが異なる原稿であっても、或いは又、原稿挿入方向に対して長さは等しいが、幅が異なる原稿であっても、これら複数枚数の原稿が一定方向に簡便に連結される。その結果、非定型で任意に長さを設定出来る帯状の記録紙上に複数枚の画像を印刷出力することがコストアップを伴わずに、容易に出来るという効果を得る。
【発明を実施するための最良の形態】
【０００８】
本発明による画像形成装置は、連結方向決定手段と、連結位置決定手段と、画像連結手段とを装置全体を制御するＣＰＵ（中央演算処理装置）の制御手段によって構成し、従来の画像形成装置の制御手順のプログラム変更のみによって実現したのでコストアップを伴わずに実現することが出来た。
【実施例１】
【０００９】
図１は、実施例１の構成のブロック図である。
図に示すように実施例１の画像形成装置は、画像入力部１と、記憶部２と、設定操作部３と、画像印刷部４と、表示部５と、制御部６と、データバス７と、制御バス８とを備える。
【００１０】
画像入力部１は、記録紙上に合成して出力することが求められている複数枚の原稿画像を入力して、該原稿画像のイメージデータを取得し、画像データに変換して記憶部２へ送出する部分である。
図２は、画像入力部の概略構成図である。
図に示すように、画像入力部１は、原稿検出センサ１−１と、開始位置検出センサ１−２と、イメージセンサ１−３と、ステッピングモータ１−４と、画像読取制御手段１−５と、画像処理手段１−６と、センサローラ１−７と、給紙ローラ１−８とを有する。
【００１１】
原稿検出センサ１−１は、画像読取制御手段１−５に接続され画像入力部１に原稿が入力されたことを検出するセンサである。
開始位置検出センサ１−２は、画像読取制御手段１−５に接続され、画像入力部１に入力された原稿が読み取り位置に達したことを検出するセンサである。
イメージセンサ１−３は、画像処理手段１−６に接続され、入力された原稿からイメージデータを取得する部分である。
【００１２】
ステッピングモータ１−４は、画像読取制御手段１−５の制御に基づいて、画像入力部１に入力された原稿上のイメージセンサ１−３による読み取り位置を正確に制御すべくセンサローラ１−７を回転駆動するパルスモータである。
画像読取制御手段１−５は、画像入力部１が、原稿画像のイメージデータを取得し、画像データに変換して記憶部２へ送出することを可能にすべく制御部６（図１）の制御に基づいて画像入力部１全体を制御する制御手段であり、その内部に画像データのライン数を計測するラインカウンタ１−５−１と原稿幅を検出する原稿幅検出センサ１−５−２とを含んでいる制御手段である。
【００１３】
画像処理手段１−６は、画像読取制御手段１−５の制御に基づいて、イメージセンサ１−３からイメージデータを受け入れて画像データに変換する手段である。
センサローラ１−７は、ステッピングモータ１−４によって駆動され、画像入力部１に入力された原稿上における、イメージセンサ１−３による読み取り位置を移動させるローラである。
給紙ローラ１−８は、画像入力部１に入力された原稿を読み取り位置まで搬送するローラである。
【００１４】
図１に戻って、記憶部２は、画像入力部１から画像データを受け入れて所定の形態で格納するメモリである。
図３は、実施例１の記憶部の概略構成図である。
図に示すように、記憶部２は、ページバッファ２−１と、イメージバッファ２−２とを有するメモリである。
ページバッファ２−１は、原稿画像１枚分の画像データを一時格納するバッファである。
イメージバッファ２−２は、制御部４（図１）の制御によって画像印刷部４（図１）へ出力する印刷データ（出力画像データ）を構成するために設けられたメモリ領域である。
【００１５】
図１に戻って、設定操作部３は、制御部６の制御に基づいて、操作者に対して画像の連結仕様の入力を求め、その連結情報を制御部６の求めに応じて送出する部分である。
図４は、実施例１の設定操作部の説明図である。
実施例１の設定操作部３は、一例として、図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、挿入方向縦、挿入方向横の何れかの選択を、それぞれ操作者に求めて決定ボタン３−４にて決定させる。
【００１６】
画像印刷部４は、制御部６の制御に基づいて、イメージバッファ２−２（図３）に構成された印刷データ（出力画像データ）を受け入れて非定型で任意に長さを設定出来る帯状の記録紙上に画像に印刷出力する部分である。
表示部５は、制御部６の制御に基づいて上記設定操作部３の表示（図４）や、装置の状態等を表示する装置と操作者とのインタフェースの役目を果たす部分である。通常、液晶表示装置等が用いられる。又、タッチパネルなどを備えて、設定操作部３と一体化しても良い。
【００１７】
制御部６は、装置全体を制御するＣＰＵ（中央演算制御装置）であり、本実施例では特に、画像連結方向決定手段６−１と、連結位置決定手段６−２と、画像連結手段６−３とを有する部分である。
画像連結方向決定手段６−１は、設定操作部３から入力された連結方向に応じて連結方向を決定する手段である。
連結位置決定手段６−２は、連結方向の長さを累積加算し、後に続く画像が連結される位置を決定する手段である。
画像連結手段６−３は、画像連結方向決定手段６−１及び連結位置決定手段６−２の決定に基づいて後に続く画像を連結する手段である。
データバス７は、各構成要素間を繋ぐデータの通路である。
制御バス８は、各構成要素間を繋ぐ制御信号の通路である。
【００１８】
次に実施例１の動作について説明する。
図５は、実施例１の画像入力部の動作フローチャートである。
ステップＳ１−１からステップＳ１−１４まで画像入力部の動作ステップ順に説明する。
ステップＳ１−１
原稿がセットされ原稿検出センサ１−１（図２）がオンするとフローが開始される。
ステップＳ１−２
ステッピングモータ１−４（図２）が回転を開始し、これに伴ってセンサローラ１−７（図２）及び給紙ローラ１−８（図２）も回転を始め、原稿の引き込み動作が開始される。
【００１９】
ステップＳ１−３
開始位置検出センサ１−２（図２）は、原稿の監視を続け、原稿が検出されると次へ進む。
ステップＳ１−４
開始位置検出センサ１−２（図２）が、原稿を検出すると画像読取制御手段１−５（図２）は、一旦、ステッピングモータ１−４（図２）を停止させ、制御部６（図２）に読み取り準備完了を通知する。
【００２０】
ステップＳ１−５
画像読取制御手段１−５（図２）は、制御部６（図２）から読み取り実行許可通知を受け入れると次へ進む。
ステップＳ１−６
制御部６（図２）から設定操作部３（図２）の設定仕様（読取解像度、読取モード、連結方向指定）（図４）を受け入れる。
【００２１】
ステップＳ１−７
画像読取制御手段１−５（図２）は、読み取りを開始するに先立ってラインカウンタ１−５−１（図２）を０にクリアする。
ステップＳ１−８
画像読取制御手段１−５（図２）は、ステッピングモータ１−４（図２）へパルスを送出してセンサローラ１−７（図２）及び給紙ローラ１−８（図２）の回転を再開始する。
【００２２】
ステップＳ１−９
画像読取制御手段１−５（図２）は、画像処理手段１−６を介してイメージセンサ１−３から１ライン分の画像データを受け入れて画像処理する。
ステップＳ１−１０
画像読取制御手段１−５（図２）は、処理した画像データを転送してラインカウンタ１−５−１（図２）をインクリメントする。
【００２３】
ステップＳ１−１１
画像読取制御手段１−５（図２）は、ステップＳ１−８〜ステップＳ１−１０の動作を、開始位置検出センサ１−２が原稿を検出しなくなるまで繰り返し、検出しなくなったとき次へ進む。
ステップＳ１−１２
画像読取制御手段１−５（図２）は、原稿１ページの読み取りが終了すると、制御部６（図１）へ、１ページ分のライン数、及び、原稿幅を通知する。
【００２４】
ステップＳ１−１３
画像読取制御手段１−５（図２）は、原稿検出センサ１−１（図２）を監視して、後に続く原稿が有るかどうかを判断し、有れば次へ進み、無ければフローを終了する。
ステップＳ１−１４
画像読取制御手段１−５（図２）は、制御部に原稿有りの通知を行ってステップＳ１−５へ戻って次ページの読み取り開始をまって待機する。
尚、原稿幅の検出については、原稿の幅方向に各種紙幅の検出スイッチを配置しても良く、また、読み取られた画像から、原稿のエッジを抽出して原稿幅（ドット数）を検出しても良い。
【００２５】
図６は、実施例１の制御部の動作フローチャートである。
ステップＳ１−２１からステップＳ１−３５まで制御部の動作をステップ順に説明する。
ステップＳ１−２１
制御部６（図１）は、画像読取制御手段１−５（図２）から読み取り準備完了通知を受け入れると次へ進む。
ステップＳ１−２２
制御部６（図１）は、操作者に対して読み取り解像度と読み取りモードと、連結方向指定の入力を求めて表示部５へ図４に示す表示を行う。
【００２６】
ステップＳ１−２３
制御部６（図１）は、操作者の読み取り解像度と読み取りモードと、連結方向指定の入力を待って待機し、入力があると次へ進む。
ステップＳ１−２４
制御部６（図１）は、自己が記憶する連結後の画像全長Ｙ０、及び、連結後の画像幅Ｘ０を０にクリアして次へ進む。
【００２７】
ステップＳ１−２５
制御部６（図１）は、画像読取制御手段１−５（図２）に対して読み取り実行許可を通知する。
ステップＳ１−２６
制御部６（図１）は、画像データを受け入れてページバッファ２−１（図３）へ格納する。
【００２８】
ステップＳ１−２７
制御部６（図１）は、１ページ分全ての画像データを受け入れるまでステップＳ１−２６及びステップＳ１−２７を継続し、受け入れが完了すると次へ進む。
ステップＳ１−２８
制御部６（図１）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【００２９】
ステップＳ１−２９
制御部６（図１）の画像連結方向決定手段６−１（図１）は、操作者による連結方向指定の入力に基づいて連結方向が「挿入方向縦」が設定されている場合にはステップＳ１−３０へ進み、連結方向が「挿入方向横」が設定されている場合にはステップＳ１−３２へ進む。
ステップＳ１−３０
制御部６（図１）の画像連結手段６−３（図１）は、画像入力部１（図１）が読み取った方向のまま、縦に連結するモードなので、ページバッファ２−１（図３）に転送されてきた画像データをそのまま、イメージバッファ２−２（図３）に転送する。
【００３０】
ステップＳ１−３１
制御部６（図１）の連結位置決定手段６−２（図１）は、連結後に自己が記憶する連結後の画像全長Ｙ０に原稿のライン長Ｙｉを加算し、連結後の画像幅Ｘ０に原稿幅数Ｘｉをセットする。
ステップＳ１−３２
制御部６（図１）の画像連結手段６−３（図１）は、画像入力部１（図１）が読み取った方向を横に連結するモードなので、ページバッファ２−１（図３）に転送されてきた画像データを９０度回転した後、イメージバッファ２−２（図３）に転送する。連結方向は、原稿幅の方向である。
【００３１】
ステップＳ１−３３
制御部６（図１）の連結位置決定手段６−２（図１）は、連結後に自己が記憶する連結後の画像全長Ｙ０に原稿幅数Ｘｉを加算し、連結後の画像幅Ｘ０に原稿のライン長Ｙｉをセットする。
ステップＳ１−３４
制御部６（図１）は、後に続く原稿の有無を確認し、後に続く原稿が無い場合にはステップＳ１−３５へ進み、有る場合にはステップＳ１−２５へ戻って読み取り動作開始通知を行う。
ステップＳ１−３５
制御部６（図１）は、イメージバッファ２−２（図３）に格納されている画像データを画像印刷部４（図１）へ送出してフローを終了する。
【００３２】
図７は、実施例１の印刷結果説明図である。
（ａ）は、原稿挿入の縦方向に連結して印刷した場合を表している。
（ｂ）は、原稿挿入の状態で原稿を９０度回転させて原稿挿入の横方向に連結して印刷した場合を表している。
【００３３】
以上説明したように、本実施例によれば、図に示すように、原稿挿入方向に対して幅は等しいが長さが異なる原稿であっても、或いは又、原稿挿入方向に対して長さは等しいが、幅が異なる原稿であっても、複数枚数の原稿が一定方向に連結された画像を簡便に形成することが出来る。その結果、非定型で任意に長さを設定出来る帯状の記録紙上に複数枚の画像を印刷出力することが容易に出来るという効果を得る。
【００３４】
尚、上記説明では、画像連結方向決定手段６−１と、連結位置決定手段６−２と、画像連結手段６−３とを制御部６の制御手段として構成した場合について説明したが、本発明は、この例に限定されるものではない、即ち、上記手段の全て、あるいは一部を専用の電子機器で構成しても良いことは記すまでもない。
【実施例２】
【００３５】
本実施例では、実施例１の内容を複数ページの原稿の各々に個別に設定可能とした例について説明する。
図８は、実施例２の構成のブロック図である。
図に示すように実施例２の画像形成装置は、画像入力部１と、記憶部１２と、設定操作部１３と、画像印刷部４と、表示部５と、制御部１６と、データバス７と、制御バス８とを備える。
実施例１との相違部分のみについて説明する。尚、実施例１と同様の部分については実施例１と同一の符号が付されている。
【００３６】
図９は、実施例２の記憶部の概略構成図である。
図示すように、記憶部１２は、ページバッファ２−１と、イメージバッファ２−２と、ページ毎ライン数、ドット数、連結方向格納領域１２−１を有するメモリ領域である。
ページ毎ライン数、ドット数、連結方向格納領域１２−１は、原稿画像のページ毎にライン数、ドット数、連結方向を格納するメモリである。
【００３７】
図８に戻って、設定操作部１３は、制御部１６の制御に基づいて、操作者に対して画像の連結仕様の入力を求め、その連結情報を制御部１６の求めに応じて送出する部分である。
図１０は、実施例２の設定操作部の説明図である。
（ａ）は、設定項目を表し、（ｂ）は、連結方向の詳細を表している。
図に示すように、実施例２の設定操作部１３では、一例として（ａ）を表示部５（図８）に表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定１３−１の設定を操作者に求め、決定ボタン３−３によって決定させる。更に、（ｂ）を表示部５（図８）に表示して、連結方向指定１３−１として、ページ毎に縦方向、横方向１３−２の何れかを操作者に選択させ決定ボタン１３−３によって決定させる。
【００３８】
制御部１６は、装置全体を制御するＣＰＵ（中央演算制御装置）であり、本実施例では特に、画像連結方向決定手段１６−１と、連結位置決定手段１６−２と、画像連結手段１６−３とを有する部分である。
画像連結方向決定手段１６−１は、設定操作部１３から入力された連結方向に応じて各ページ毎の連結方向を決定する手段である。
連結位置決定手段１６−２は、連結方向の長さを累積加算し、後に続く画像が連結される各ページ毎の位置を決定する手段である。
画像連結手段１６−３は、画像連結方向決定手段１６−１及び連結位置決定手段１６−２の決定に基づいて後に続く画像を連結する手段である。
他の構成部分は、実施例１と同様なので説明を省略する。
【００３９】
次に実施例２の動作について説明する。
画像入力部１（図８）の動作は実施例１と同様なので説明を省略して制御部１６（図８）の動作のみについて説明する。
図１１は、実施例２の制御部の動作フローチャート（その１）である。
図１２は、実施例２の制御部の動作フローチャート（その２）である。
ステップＳ２−１からステップＳ２−２３まで制御部の動作をステップ順に説明する。
【００４０】
ステップＳ２−１
制御部１６（図８）は、画像読取制御手段１−５（図２）から読み取り準備完了通知を受け入れると次へ進む。
ステップＳ２−２
制御部１６（図８）は、操作者に対して読み取り解像度と読み取りモードと、連結方向指定の入力を求めて表示部５へ図１０に示す表示を行う。
【００４１】
ステップＳ２−３
制御部１６（図８）は、操作者の読み取り解像度と読み取りモードと、連結方向指定の入力を待って待機し、入力があると次へ進む。
ステップＳ２−４
制御部１６（図８）は、自己が記憶する連結後の画像全長Ｙ０、連結後の画像幅Ｘ０、及び総ページ数ｎを０にクリアして次へ進む。
【００４２】
ステップＳ２−５
制御部１６（図８）は、画像読取制御手段１−５（図２）に対して読み取り実行許可を通知する。
ステップＳ２−６
制御部１６（図８）は、画像データを受け入れてページバッファ２−１（図９）へ格納する。
【００４３】
ステップＳ２−７
制御部１６（図８）は、１ページ分全ての画像データを受け入れるまでステップＳ２−６及びステップＳ２−７を継続し、受け入れが完了すると次へ進む。
ステップＳ２−８
制御部１６（図８）は、１ページ分全ての画像データを受け入れると画像読取制御手段１−５（図２）から１ページ分のライン長Ｙｉ（ライン数）、及び、原稿幅数Ｘｉ（ドット数）の通知を受け入れて、総ページ数をインクリメントする。
【００４４】
ステップＳ２−９
制御部１６（図８）は、１ページ分のライン長Ｙｉ（ライン数）、及び、原稿幅数Ｘｉ（ドット数）をｎページ目のライン長Ｙｉ（ライン数）、及び、原稿幅数Ｘｉ（ドット数）としてページ毎ライン数、ドット数、連結方向格納領域１２−１（図９）へ格納する。
【００４５】
ステップＳ２−１０
制御部１６（図８）は、後に続く原稿の有無を確認後、後に続く原稿が有る場合には、原稿が無くなるまでステップＳ２−５からステップＳ２−９までを繰り返す。
ステップＳ２−１１
制御部１６（図８）は、後に続く原稿が無くなったことを確認すると、設定操作部１３（図８）を制御して、操作者に各ページ毎に連結方向を決定させるべく表示部５（図８）に図１０（ｂ）に示す画面を表示する。
【００４６】
ステップＳ２−１２
制御部１６（図８）は、操作者から設定操作部１３（図８）を介して各ページ毎に連結方向を取得する。
ステップＳ２−１３
制御部１６（図８）は、連結するページを示すｍ及び、読み出し位置Ｐｒを０にクリアする。
ステップＳ２−１４
制御部１６（図８）は、各ページ毎の読み取り時に、ページ毎ライン数、ドット数、連結方向格納領域１２−１（図９）に格納してある数値をｍページ目について読み出す。
【００４７】
ステップＳ２−１５
制御部１６（図８）は、ライン数、ドット数から画像サイズを算出する。ｍページ目の画像サイズは、ライン数Ｙｉ（ｍ）×ドット数Ｘｉ（ｍ）として算出される。
ステップＳ２−１６
制御部１６（図８）の画像連結方向決定手段１６−１（図８）は、ページ毎ライン数、ドット数、連結方向格納領域１２−１（図９）から連結方向を読み出して、連結方向が縦の場合には、ステップＳ２−１７へ進み、連結方向が横の場合には、ステップＳ２−１８へ進む。
【００４８】
ステップＳ２−１７
制御部１６（図８）の画像連結位置決定手段１６−２（図８）は、画像入力部１（図８）から読み取られた方向のまま、縦に連結するモードなので、連結後の画像全長Ｙ０に、原稿の長さＹｉ（ｍ）（ライン数）を加算し、連結後の画像幅Ｘ０は、原稿の幅Ｘｉ（ｍ）（ドット数）にセットする。
ステップＳ２−１８
制御部１６（図８）は、画像データをページバッファ２−１（図９）から読み出す。
ステップＳ２−１９
制御部６（図１）は、画像入力部１（図８）が読み取った方向は横に連結するモードなので、ページバッファ２−１（図９）に転送されてきた画像データを９０度回転した後、イメージバッファ２−２（図９）に転送する。連結方向は、原稿挿入方向の幅方向である。
【００４９】
ステップＳ２−２０
制御部１６（図８）の画像連結位置決定手段１６−２（図８）は、画像入力部１（図８）から読み取られた方向のまま、横に連結するモードなので、連結後の画像全長Ｙ０に、原稿の幅Ｘｉ（ｍ）（ドット数）を加算し、連結後の画像幅Ｘ０は、原稿の長さＹｉ（ｍ）（ライン数）、にセットしてステップＳ２−２１へ進む。
ステップＳ２−２１
制御部１６（図８）の画像連結手段１６−３（図８）は、は、イメージバッファ２−２（図９）の読み出し位置Ｐｒに、算出した画像サイズ（Ｘｉ（ｍ）×Ｙｉ（ｍ））を加算し、連結するページを示すｍをインクリメントする。
【００５０】
ステップＳ２−２２
制御部１６（図８）は、ｍが、読み取った原稿の総ページ数ｎと一致するまでステップＳ２−１４からステップＳ２−２２を繰り返し、ｍ＝ｎになると次へ進む。
ステップＳ２−２３
制御部１６（図８）は、イメージバッファ２−２（図９）から画像データを読み出して画像印刷部４（図８）へ送出してフローを終了する。
【００５１】
図１３は、実施例２の印刷結果説明図である。
以上説明した動作によって、図に示すように、原稿挿入方向の異なる複数枚の原稿を一定方向に連結された画像を簡便に形成することができ、一定方向に長さを持つ帯状の記録紙に印刷出力することが出来る。
【００５２】
尚、上記説明では、画像連結方向決定手段１６−１と、連結位置決定手段１６−２と、画像連結手段１６−３とを制御部１６の制御手段として構成した場合について説明したが、本発明は、この例に限定されるものではない、即ち、上記手段の全て、あるいは一部を専用の電子機器で構成しても良いことは記すまでもない。
【実施例３】
【００５３】
本実施例では、複数画像の連結部分に於いて、不明瞭になる部分などの発生を防止するために連結部分の一部を削除して空白部分を設ける場合について説明する。
図１４は、実施例３の構成のブロック図である。
図に示すように実施例１の画像形成装置は、画像入力部１と、記憶部２２と、設定操作部２３と、画像印刷部４と、表示部５と、制御部２６と、データバス７と、制御バス８とを備える。実施例１との相違部分のみについて説明する。尚、実施例１と同様の部分については実施例１と同一の符号が付されている。
【００５４】
図１５は、実施例３の記憶部の概略構成図である。
図に示すように、記憶部２２は、ページバッファ２−１と、イメージバッファ２−２と、削除ライン数格納手段２２−１とを有するメモリ領域である。
削除ライン数格納手段２２−１は、原稿の連結部分に余白部分を設けるために各原稿の先端部分、及び後端部分の画像削除するライン数を格納するメモリ領域である。
【００５５】
図１４へ戻って、設定操作部２３は、制御部２６の制御に基づいて、操作者に対して画像の連結仕様の入力を求め、その連結情報を制御部２６の求めに応じて送出する部分である。
図１６は、実施例３の設定操作部の説明図である。
実施例３の設定操作部２３は、一例として図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、挿入方向縦、挿入方向横の何れかの選択、連結位置余白量２３−１として、前１ｍｍ、後１ｍｍの選択を、それぞれ操作者に求めて決定ボタン３−４にて決定させる。
【００５６】
制御部２６は、装置全体を制御するＣＰＵ（中央演算制御装置）であり、本実施例では特に、画像連結方向決定手段２６−１と、連結位置決定手段２６−２と、画像連結手段２６−３と、連結部画像削除手段２６−４を有する部分である。
画像連結方向決定手段２６−１は、設定操作部２３から入力された連結方向に応じて各ページ毎の連結方向を決定する手段である。
連結位置決定手段２６−２は、連結方向の長さを累積加算し、後に続く画像が連結される各ページ毎の位置を決定する手段である。
画像連結手段２６−３は、画像連結方向決定手段２６−１及び連結位置決定手段２６−２の決定に基づいて後に続く画像を連結する手段である。
連結部画像削除手段２６−４は、原稿画像の連結部分に於いて所定のライン数画像を削除して余白部分を算出する手段である。
他の構成部分は、実施例１と同様なので説明を省略する。
【００５７】
次に実施例３の動作について説明する。
画像入力部１（図１４）の動作は実施例１と同様なので説明を省略して制御部２６（図１４）の動作のみについて説明する。
図１７は、実施例３の制御部の動作フローチャートである。
ステップＳ３−１からステップＳ３−１９まで制御部の動作をステップ順に説明する。
【００５８】
ステップＳ３−１
制御部２６（図１４）は、画像読取制御手段１−５（図２）から読み取り準備完了通知を受け入れると次へ進む。
ステップＳ３−２
制御部２６（図１４）の制御に基づいて設定操作部２３（図１４）は、操作者に対して読み取り解像度と読み取りモードと、連結方向指定と、連結方向での余白長（読捨長）の入力を求めて表示部５へ図１５に示す表示を行う。
【００５９】
ステップＳ３−３
制御部２６（図１４）は、操作者の読み取り解像度と読み取りモードと、連結方向指定と、余白長（読捨長）の入力を待って待機し、入力があると次へ進む。
ステップＳ３−４
制御部２６（図１４）は、自己が記憶する連結後の画像全長Ｙ０、及び、連結後の画像幅Ｘ０を０にクリアして次へ進む。
【００６０】
ステップＳ３−５
制御部２６（図１４）は、画像読取制御手段１−５（図２）に対して読み取り実行許可を通知する。
ステップＳ３−６
制御部２６（図１４）は、画像データを受け入れてページバッファ２−１（図１５）へ格納する。
【００６１】
ステップＳ３−７
制御部２６（図１４）は、１ページ分全ての画像データを受け入れるまでステップＳ３−６及びステップＳ３−７を継続し、受け入れが完了すると次へ進む。
ステップＳ３−８
制御部２６（図１４）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【００６２】
ステップＳ３−９
制御部２６（図１４）の画像連結方向決定手段２６−１（図１４）は、操作者による連結方向指定の入力に基づいて連結方向に「挿入方向縦」が設定されている場合にはステップＳ３−１２へ進み、連結方向に「挿入方向横」が設定されている場合にはステップＳ３−１０へ進む。
ステップＳ３−１０
制御部２６（図１４）の画像連結手段２６−３（図１４）は、画像入力部１（図１４）が読み取った方向を横に連結するモードなので、ページバッファ２−１（図１５）に転送されてきた画像データを９０度回転する。連結方向は、挿入方向における原稿幅の方向である。
【００６３】
ステップＳ３−１１
制御部２６（図１４）の連結位置決定手段２６−２（図１４）は、原稿幅数Ｘｉと、原稿のライン長Ｙｉをそれぞれ入れ換える。
ステップＳ３−１２
制御部２６（図１４）は、後に続く原稿がある場合にはステップＳ３−１３へ進み、無い場合にはステップＳ３−１４へ進む。後に続く原稿が無い場合には後端部分に余白長（読捨長）を取る必要が無いからである。
【００６４】
ステップＳ３−１３
制御部２６（図１４）の連結部画像削除手段２６−４（図１４）は、ステップＳ３−３で操作者が入力した余白長（読捨長）から後に続く原稿との連結部である、画像の後端側の削除されるライン数Ｄｅを算出して削除ライン数格納領域２２−１（図１５）へ格納する。この削除されるライン数Ｄｅは、読み取り解像度と、操作者が入力した余白長（読捨長）から余白量（ｍｍ）÷２５．４÷読み取り解像度（ｄｐｉ）として算出される。
【００６５】
ステップＳ３−１４
制御部２６（図１４）は、現在処理中の原稿が２ページ目以降の原稿かどうかを判断し、２ページ目以降の場合にはステップＳ３−１５へ進み、１ページ目の場合にはステップＳ３−１５へ進む。先頭の原稿ではその先端部分に余白長（読捨長）を取る必要が無いからである。
【００６６】
ステップＳ３−１５
制御部２６（図１４）の連結部画像削除手段２６−４（図１４）は、ステップＳ３−３で操作者が入力した余白長（読捨長）から前に続く原稿との連結部である、画像の先端側の削除されるライン数Ｄｓを算出して削除ライン数格納領域２２−１（図１５）へ格納する。この削除されるライン数Ｄｓは、読み取り解像度と、操作者が入力した余白長（読捨長）から余白量（ｍｍ）÷２５．４÷読み取り解像度（ｄｐｉ）として算出される。
【００６７】
ステップＳ３−１６
制御部２６（図１４）の画像連結手段２６−３（図１４）は、ページバッファ２−１（図１５）から画像データを読み出して、ライン数Ｄｅ及びＤｓを削除して、Ｙｉ−Ｄｅ−Ｄｓ分の画像データをイメージバッファ２−２（図１５）へ転送する。
【００６８】
ステップＳ３−１７
制御部２６（図１４）の連結位置決定手段２６−２（図１４）は、連結後の画像幅Ｘ０にＸｉをセットし、連結後の画像全長Ｙ０にＹｉ−Ｄｅ−Ｄｓを加算する。
ステップＳ３−１８
制御部２６（図１４）は、後に続く原稿の有無を確認し、後に続く原稿が無い場合にはステップＳ３−１９へ進み、有る場合にはステップＳ３−５へ戻って、読み取り動作開始通知を行う。
ステップＳ３−１９
制御部２６（図１４）は、イメージバッファ２−２（図１５）に格納されている画像データを画像印刷部４（図１４）へ送出してフローを終了する。
【００６９】
図１８は、実施例３の印刷結果説明図である。
（ａ）は、挿入された原稿を挿入方向縦のまま所定の余白部分、画像を削除して縦方向に連結して印刷した場合を表している。
（ｂ）は、挿入された原稿を９０度回転させた後、挿入方向横に所定の余白部分、画像を削除して横方向に連結して印刷した場合を表している。
【００７０】
以上説明したように、本実施例によれば、図に示すように、連結される画像の端部分について、画像の削除を指定出来るため、画像が複数枚に渡って分割されている原稿であっても、端辺の連結部の不整合を減らしながら、所望する一定方向に連結された画像を簡便に形成することが出来る。その結果、非定型で任意に長さを設定出来る帯状の記録紙上に複数枚の画像を印刷出力することが容易に出来るという効果を得る。
【００７１】
尚、上記説明では、画像連結方向決定手段２６−１と、連結位置決定手段２６−２と、画像連結手段２６−３と、連結部画像削除手段２６−４とを制御部２６の制御手段として構成した場合について説明したが、本発明は、この例に限定されるものではない、即ち、上記手段の全て、あるいは一部を専用の電子機器で構成しても良いことは記すまでもない。
【実施例４】
【００７２】
本実施例では、連結した複数画像の画像幅を一定の画像幅に揃えるべく、一定の画像幅を越える画像の超過分の画像を削除し、一定の画像幅に不足する画像に不足分の白画像を追加する場合について説明する。
図１９は、実施例４の構成のブロック図である。
図に示すように実施例４の画像形成装置は、画像入力部１と、記憶部３２と、設定操作部３３と、画像印刷部４と、表示部５と、制御部３６と、データバス７と、制御バス８とを備える。実施例１との相違部分のみについて説明する。尚、実施例１と同様の部分については実施例１と同一の符号が付されている。
【００７３】
図２０は、実施例４の記憶部の概略構成図である。
図示すように、記憶部３２は、ページバッファ２−１と、イメージバッファ２−２と、連結幅削除・追加ライン数格納領域３２−１とを有するメモリである。
連結幅削除・追加ライン数格納領域３２−１は、原稿の連結方向の幅を一定に揃えるために原稿の端部分の画像を削除・追加するライン数を格納するメモリ領域である。
【００７４】
図１９へ戻って、設定操作部３３は、制御部３６の制御に基づいて、操作者に対して画像の連結仕様の入力を求め、その連結情報を制御部３６の求めに応じて送出する部分である。
図２１は、実施例４の設定操作部の説明図である。
実施例４の設定操作部３３は、一例として図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、挿入方向縦、挿入方向横の何れかの選択、連結幅設定３３−１として、先頭原稿に合わせる、２１０ｍｍ等の選択を、それぞれ操作者に求めて決定ボタン３−４にて決定させる。
【００７５】
制御部３６は、装置全体を制御するＣＰＵ（中央演算制御装置）であり、本実施例では特に、画像連結方向決定手段３６−１と、連結位置決定手段３６−２と、削除・追加手段３６−３と、画像連結手段３６−４とを有する部分である。
画像連結方向決定手段３６−１は、設定操作部３３から入力された連結方向に応じて各ページ毎の連結方向を決定する手段である。
連結位置決定手段３６−２は、連結方向の長さを累積加算し、後に続く画像が連結される各ページ毎の位置を決定する手段である。
削除・追加手段３６−３は、原稿の連結方向の幅を一定に揃えるために原稿の端部分の画像を削除・追加するライン数を算出する手段である。
画像連結手段３６−４は、画像連結方向決定手段３６−１及び連結位置決定手段３６−２の決定、及び、削除・追加手段３６−３の算出結果に基づいて後に続く画像を連結する手段である。
他の構成部分は、実施例１と同様なので説明を省略する。
【００７６】
次に実施例４の動作について説明する。
画像入力部１（図１９）の動作は実施例１と同様なので説明を省略して制御部３６（図１９）の動作のみについて説明する。
図２２は、実施例４の制御部の動作フローチャート（その１）である。
図２３は、実施例４の制御部の動作フローチャート（その２）である。
ステップＳ４−１からステップＳ４−２４まで制御部の動作をステップ順に説明する。
【００７７】
ステップＳ４−１
制御部３６（図１９）は、画像読取制御手段１−５（図２）から読み取り準備完了通知を受け入れると次へ進む。
ステップＳ４−２
制御部３６（図１９）の制御に基づいて設定操作部３３（図１９）は、操作者に対して読み取り解像度と読み取りモードと、連結方向指定と、連結幅設定の入力を求めて表示部５へ図１５に示す表示を行う。
【００７８】
ステップＳ４−３
制御部３６（図１９）は、操作者の読み取り解像度と読み取りモードと、連結方向指定と、連結幅の入力を待って待機し、入力があると次へ進む。
ステップＳ４−４
制御部３６（図１９）は、自己が記憶する連結後の画像全長Ｙ０、及び、連結後の画像幅Ｘ０を０にクリアして次へ進む。
【００７９】
ステップＳ４−５
制御部３６（図１９）は、画像読取制御手段１−５（図２）に対して読み取り実行許可を通知する。
ステップＳ４−６
制御部３６（図１９）は、画像データを受け入れてページバッファ２−１（図２）へ格納する。
【００８０】
ステップＳ４−７
制御部３６（図１９）は、１ページ分全ての画像データを受け入れるまでステップＳ４−６及びステップＳ４−７を継続し、受け入れが完了すると次へ進む。
ステップＳ４−８
制御部３６（図１９）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【００８１】
ステップＳ４−９
制御部３６（図１９）は、読み取り終了した原稿が１ページ目かどうか判断し、１ページ目の場合にはステップＳ４−１０へ進み、１ページ目で無い場合にはステップＳ４−１３へ進む。
ステップＳ４−１０
制御部３６（図１９）は、設定操作部３３（図１９）の設定から操作者が先頭原稿に幅を合わせることを求めているかどうかについて判断し、求めている場合にはステップＳ４−１１へ進み、求めていない場合には、ステップＳ４−１２へ進む。
【００８２】
ステップＳ４−１１
制御部３６（図１９）は、横方向へ連結する際の連結幅Ｙｓを、画像入力部１（図１９）から取得された原稿幅Ｙｉにセットし、縦方向へ連結する際の連結幅Ｘｓを、画像入力部１（図１９）から取得された原稿幅Ｘｉにセットする。
ステップＳ４−１２
制御部３６（図１９）は、連結幅の設定がミリメートル数値で設定されているので、読み取り解像度をもとに、連結幅設定ｍｍ÷（２５．４ｍｍ÷読み取り解像度ｄｐｉ）から求めた値をＸｓ及びＹｓにセットする。
【００８３】
ステップＳ４−１３
制御部３６（図１９）の画像連結方向決定手段３６−１（図１９）は、操作者による連結方向指定の入力に基づいて挿入方向に「挿入方向縦」が設定されている場合にはステップＳ４−１７へ進み、挿入方向に「挿入方向横」が設定されている場合にはステップＳ４−１４へ進む。
ステップＳ４−１４
制御部３６（図１９）の画像連結手段３６−４（図１９）は、画像入力部１（図１９）が読み取った画像を挿入方向横に連結するモードなので、ページバッファ２−１（図２０）に転送されてきた画像データを９０度回転する。連結方向は、挿入方向における原稿幅の方向である。
【００８４】
ステップＳ４−１５
制御部３６（図１９）の連結位置決定手段３６−２（図１９）は、原稿幅数Ｘｉと、原稿のライン長Ｙｉをそれぞれ入れ換える。
ステップＳ４−１６
制御部３６（図１９）の連結位置決定手段３６−２（図１９）は、原稿幅数Ｘｓと、原稿のライン長Ｙｓをそれぞれ入れ換える。
【００８５】
ステップＳ４−１７
制御部３６（図１９）の削除・追加手段３６−３（図１９）は、連結される画像の連結幅Ｘｓと、読み取られた画像の横幅Ｘｉを比較し、Ｘｓ≦Ｘｉの場合にはステップＳ４−１８へ進み、それ以外の場合にはステップＳ４−２０へ進む。
ステップＳ４−１８
制御部３６（図１９）の削除・追加手段３６−３（図１９）は、読み取られた画像の横幅Ｘｉが連結される画像の連結幅Ｘｓより大きい場合には画像の両端を削除する。削除量は、（Ｘｉ−Ｘｓ）／２として求められる。読み取られた画像の横幅Ｘｉが連結される画像の連結幅Ｘｓと等しい場合には削除量は、０となる。
【００８６】
ステップＳ４−１９
制御部３６（図１９）の画像連結手段３６−４（図１９）は、両端が削除された画像をイメージバッファ２−２（図２０）へ転送する。
ステップＳ４−２０
制御部３６（図１９）の削除・追加手段３６−３（図１９）は、読み取られた画像の横幅Ｘｉが連結される画像の連結幅Ｘｓよりも小さいので、画像の両端に余白データを追加する。追加量は、（Ｘｓ−Ｘｉ）／２として求められる。
【００８７】
ステップＳ４−２１
制御部３６（図１９）の画像連結手段３６−４（図１９）は、両端に余白データが追加された画像をイメージバッファ２−２（図２０）へ転送する。
ステップＳ４−２２
制御部３６（図１９）の連結位置決定手段３６−２（図１９）は、連結後の画像幅Ｘ０にＸｓをセットし、連結後の画像全長Ｙ０にＹｉを加算する。
【００８８】
ステップＳ４−２３
制御部３６（図１９）は、後に続く原稿の有無を確認し、後に続く原稿が無い場合にはステップＳ４−２４へ進み、有る場合にはステップＳ４−５へ戻って、読み取り動作開始通知を行う。
ステップＳ４−２４
制御部３６（図１９）は、イメージバッファ２−２（図２０）に格納されている画像データを画像印刷部４（図１９）へ送出してフローを終了する。
【００８９】
図２４は、実施例４の印刷結果説明図である。
（ａ）は、先頭原稿合わせの場合を表し、挿入方向における縦方向に連結された場合に、原稿Ｂが両端削除され、原稿Ｃが両端に余白データが追加された場合を表している。
（ｂ）は、連結幅ｍｍ指定の場合を表し、挿入方向における横方向に連結された場合に、原稿Ｃが両端削除され、原稿Ａが両端に余白データが追加された場合を表している。
【００９０】
尚、上記ステップＳ４−１９及びステップＳ４−２１において、一例として、ページバッファ２−１（図２１）からイメージバッファ２−２（図２１）への画像転送は、二次元配列Ｐ[ｙ][ｘ]（１≦ｙ≦Ｙｉ、１≦ｘ≦Ｘｉ）としてアクセスされ、（Ｘｓ−Ｘｉ）／２の余白データが転送された後、Ｐ[ｙ][１]〜Ｐ[ｙ][Ｘｉ]の画像データが転送され、再び、（Ｘｓ−Ｘｉ）／２の余白データが転送される。
【００９１】
以上説明したように、本実施例によれば、図２４に示されているように連結される画像の端辺の長さを指定することが出来るため、連結する方向で端辺の長さが異なる画像においても、連結される端辺の長さに併せて画像を削除、追加することで、所望する一定方向に連結された画像を簡便に形成することができ、一定方向に長さを持つ帯状の記録紙に出力することが出来るという効果を得る。
【００９２】
尚、上記説明では、画像連結方向決定手段３６−１と、連結位置決定手段３６−２と、削除追加手段３６−３と、画像連結手段３６−４とを制御部３６の制御手段として構成した場合について説明したが、本発明は、この例に限定されるものではない、即ち、上記手段の全て、あるいは一部を専用の電子機器で構成しても良いことは記すまでもない。
【実施例５】
【００９３】
上記実施例４では、連結した複数画像の画像幅を一定の画像幅に揃えるべく、一定の画像幅を越える画像の超過分の画像を削除し、一定の画像幅に不足する画像に不足分の白画像を追加したが、本実施例では、複数画像の画像幅を一定の画像幅に揃えるべく、一定の画像幅に不足する画像を一定の画像幅に至るまで拡大し、一定の画像幅を越える画像を一定の画像幅に至る場合について説明する。
【００９４】
図２５は、実施例５の構成のブロック図である。
図に示すように実施例５の画像形成装置は、画像入力部１と、記憶部４２と、設定操作部４３と、画像印刷部４と、表示部５と、制御部４６と、データバス７と、制御バス８とを備える。実施例１との相違部分のみについて説明する。尚、実施例１と同様の部分については実施例１と同一の符号が付されている。
【００９５】
図２６は、実施例５の記憶部の概略構成図である。
図に示すように、記憶部４２は、ページバッファ２−１と、イメージバッファ２−２と、連結幅拡大・縮小率格納手段４２−１とを有するメモリである。
連結幅拡大・縮小率格納手段４２−１は、原稿の連結方向の幅を一定に揃えるために原稿を幅方向に拡大・縮小する拡大・縮小率を格納するメモリ領域である。
【００９６】
図２５へ戻って、設定操作部４３は、制御部４６の制御に基づいて、操作者に対して画像の連結仕様の入力を求め、その連結情報を制御部４６の求めに応じて送出する部分である。
図２７は、実施例５の設定操作部の説明図である。
実施例５の設定操作部４３は、一例として図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、挿入方向縦、挿入方向横の何れかの選択、拡大・縮小幅設定４４−１として、先頭原稿に合わせる、２１０ｍｍ等の選択を、それぞれ操作者に求めて決定ボタン３−４にて決定させる。
【００９７】
制御部４６は、装置全体を制御するＣＰＵ（中央演算制御装置）であり、本実施例では特に、画像連結方向決定手段４６−１と、連結位置決定手段４６−２と、拡大・縮小手段４６−３と、画像連結手段４６−４とを有する部分である。
画像連結方向決定手段４６−１は、設定操作部４３から入力された連結方向に応じて各ページ毎の連結方向を決定する手段である。
連結位置決定手段４６−２は、連結方向の長さを累積加算し、後に続く画像が連結される各ページ毎の位置を決定する手段である。
拡大・縮小手段４６−３は、原稿の連結方向の幅を一定に揃えるために原稿を幅方向へ拡大・縮小する拡大・縮小率を算出する手段である。
画像連結手段４６−４は、画像連結方向決定手段４６−１及び連結位置決定手段４６−２の決定、及び、拡大・縮小手段４６−３の算出結果に基づいて後に続く画像を連結する手段である。
他の構成部分は、実施例１と同様なので説明を省略する。
【００９８】
次に実施例５の動作について説明する。
画像入力部１（図２５）の動作は実施例１と同様なので説明を省略して制御部４６（図２５）の動作のみについて説明する。
図２８は、実施例５の制御部の動作フローチャート（その１）である。
図２９は、実施例５の制御部の動作フローチャート（その２）である。
ステップＳ５−１からステップＳ５−２４まで制御部の動作をステップ順に説明する。
【００９９】
ステップＳ５−１
制御部４６（図２５）は、画像読取制御手段１−５（図２）から読み取り準備完了通知を受け入れると次へ進む。
ステップＳ５−２
制御部４６（図２５）の制御に基づいて設定操作部４３（図２５）は、操作者に対して読み取り解像度と読み取りモードと、連結方向指定と、拡大・縮小幅設定の入力を求めて表示部５へ図２７に示す表示を行う。
【０１００】
ステップＳ５−３
制御部４６（図２５）は、操作者の読み取り解像度と、読み取りモードと、連結方向指定と、拡大・縮小幅の入力を待って待機し、入力があると次へ進む。
ステップＳ５−４
制御部４６（図２５）は、自己が記憶する連結後の画像全長Ｙ０、及び、連結後の画像幅Ｘ０を０にクリアして次へ進む。
【０１０１】
ステップＳ５−５
制御部４６（図２５）は、画像読取制御手段１−５（図２）に対して読み取り実行許可を通知する。
ステップＳ５−６
制御部４６（図２５）は、画像データを受け入れてページバッファ２−１（図２６）へ格納する。
【０１０２】
ステップＳ５−７
制御部４６（図２５）は、１ページ分全ての画像データを受け入れるまでステップＳ５−６及びステップＳ５−７を継続し、受け入れが完了すると次へ進む。
ステップＳ５−８
制御部４６（図２５）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【０１０３】
ステップＳ５−９
制御部４６（図２５）は、読み取り終了した原稿が１ページ目かどうか判断し、１ページ目の場合にはステップＳ５−１０へ進み、１ページ目で無い場合にはステップＳ５−１３へ進む。
ステップＳ５−１０
制御部４６（図２５）は、設定操作部４３（図２５）の設定から操作者が先頭原稿に幅を合わせることを求めているかどうかについて判断し、求めている場合にはステップＳ５−１１へ進み、求めていない場合には、ステップＳ５−１２へ進む。
【０１０４】
ステップＳ５−１１
制御部４６（図２５）は、横方向へ連結する際の連結幅Ｙｓを、画像入力部１（図２５）から取得された原稿幅Ｙｉにセットし、縦方向へ連結する際の連結幅Ｘｓを、画像入力部１（図２５）から取得された原稿幅Ｘｉにセットする。
ステップＳ５−１２
制御部４６（図２５）は、連結幅の設定がミリメートル数値で設定されているので、読み取り解像度をもとに、連結幅設定ｍｍ÷（２５．４ｍｍ÷読み取り解像度ｄｐｉ）から求めた値をＸｓ及びＹｓにセットする。
【０１０５】
ステップＳ５−１３
制御部４６（図２５）の画像連結方向決定手段４６−１（図２５）は、操作者による連結方向指定の入力に基づいて挿入方向に「挿入方向縦」が設定されている場合にはステップＳ５−１７へ進み、挿入方向に「挿入方向横」が設定されている場合にはステップＳ５−１４へ進む。
ステップＳ５−１４
制御部４６（図２５）の画像連結手段４６−４（図２５）は、画像入力部１（図２５）が読み取った方向を横に連結するモードなので、ページバッファ２−１（図２６）に転送されてきた画像データを９０度回転する。連結方向は、挿入方向に於ける原稿幅の方向である。
【０１０６】
ステップＳ５−１５
制御部４６（図２５）の連結位置決定手段４６−２（図２５）は、原稿幅数Ｘｉと、原稿のライン長Ｙｉをそれぞれ入れ換える。
ステップＳ５−１６
制御部４６（図２５）の連結位置決定手段４６−２（図２５）は、原稿幅数Ｘｓと、原稿のライン長Ｙｓをそれぞれ入れ換える。
【０１０７】
ステップＳ５−１７
制御部４６（図２５）の拡大・縮小手段４６−３（図２５）は、連結される画像の連結幅Ｘｓと、読み取られた画像の横幅Ｘｉを比較し、Ｘｓ≦Ｘｉの場合にはステップＳ５−１８へ進み、それ以外の場合にはステップＳ５−２０へ進む。
ステップＳ５−１８
制御部４６（図２５）の拡大・縮小手段４６−３（図２５）は、読み取られた画像の横幅Ｘｉが連結される画像の連結幅Ｘｓより大きい場合には、Ｘｉを縮小する。この縮小率は、Ｘｓ／Ｘｉとされる。読み取られた画像の横幅Ｘｉが連結される画像の連結幅Ｘｓと等しい場合には縮小率は、０となる。
【０１０８】
ステップＳ５−１９
制御部４６（図２５）の画像連結手段５６−４（図２５）は、読み取られた画像の横幅Ｘｉに縮小率Ｘｓ／Ｘｉを掛けてＸｓに縮小した画像をイメージバッファ２−２（図２６）へ転送する。
ステップＳ５−２０
制御部４６（図２５）の拡大・縮小手段４６−３（図２５）は、読み取られた画像の横幅Ｘｉが連結される画像の連結幅Ｘｓよりも小さいのでＸｉを拡大する。この拡大率は、Ｘｓ／Ｘｉとされる。
【０１０９】
ステップＳ５−２１
制御部４６（図２５）の画像連結手段４６−４（図２５）は、読み取られた画像の横幅Ｘｉに拡大率Ｘｓ／Ｘｉを掛けてＸｓに拡大した画像をイメージバッファ２−２（図２６）へ転送する。
ステップＳ４−２２
制御部４６（図２５）の連結位置決定手段４６−２（図２５）は、連結後の画像幅Ｘ０にＸｓをセットし、連結後の画像全長Ｙ０にＹｉを加算する。
【０１１０】
ステップＳ５−２３
制御部４６（図２５）は、後に続く原稿の有無を確認し、後に続く原稿が無い場合にはステップＳ５−２４へ進み、有る場合にはステップＳ５−５へ戻って、読み取り動作開始通知を行う。
ステップＳ５−２４
制御部４６（図２５）は、イメージバッファ２−２（図２６）に格納されている画像データを画像印刷部４（図２５）へ送出してフローを終了する。
【０１１１】
図３０は、実施例５の印刷結果説明図である。
（ａ）は、一例としてＡ４短辺設定の場合を表し、縦方向に連結された場合に、原稿Ｂが縮小され、原稿Ｃが拡大された場合を表している。
（ｂ）は、一例としてＡ４長辺設定の場合を表し、横方向に連結された場合に、原稿Ａが拡大され、原稿Ｃが縮小された場合を表している。
【０１１２】
以上説明したように、本実施例によれば、図３０に示されているように連結される画像の辺の長さを指定することが出来るため、連結する方向で辺の長さが異なる画像においても、連結される辺の長さに併せて画像を拡大・縮小することで、所望する一定方向に連結された画像を簡便に形成することができ、一定方向に長さを持つ帯状の記録紙に出力することが出来るという効果を得る。
【０１１３】
尚、上記説明では、画像連結方向決定手段４６−１と、連結位置決定手段４６−２と、拡大・縮小手段４６−３と、画像連結手段４６−４とを制御部４６の制御手段として構成した場合について説明したが、本発明は、この例に限定されるものではない、即ち、上記手段の全て、あるいは一部を専用の電子機器で構成しても良いことは記すまでもない。
【実施例６】
【０１１４】
本実施例では、同一画像の連結を可能とすべく、同一画像を繰り返して形成する場合について説明する。
図３１は、実施例６の構成のブロック図である。
図に示すように実施例６の画像形成装置は、画像入力部１と、記憶部５２と、設定操作部５３と、画像印刷部４と、表示部５と、制御部５６と、データバス７と、制御バス８とを備える。実施例１との相違部分のみについて説明する。尚、実施例１と同様の部分については実施例１と同一の符号が付されている。
【０１１５】
図３２は、実施例６の記憶部の概略構成図である。
図示すように、記憶部５２は、ページバッファ２−１と、イメージバッファ２−２と、繰り返し回数格納手段５２−１とを有するメモリである。
繰り返し回数格納手段５２−１は、同一画像を連結方向に繰り返すための繰り返し数を格納するメモリ領域である。
【０１１６】
図３３へ戻って、設定操作部５３は、制御部５６の制御に基づいて、操作者に対して画像の連結仕様の入力を求め、その連結情報を制御部５６の求めに応じて送出する部分である。
図３３は、実施例６の設定操作部の説明図である。
実施例６の設定操作部５３は、一例として図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、挿入方向縦、挿入方向横の何れかの選択、繰り返し回数５４−１として、その繰り返し回数の入力を、それぞれ操作者に求めて決定ボタン３−４にて決定させる。
【０１１７】
制御部５６は、装置全体を制御するＣＰＵ（中央演算制御装置）であり、本実施例では特に、画像連結方向決定手段５６−１と、連結位置決定手段５６−２と、転送回数計数手段５６−３と、画像連結手段５６−４とを有する部分である。
画像連結方向決定手段５６−１は、設定操作部５３から入力された連結方向に応じて各ページ毎の連結方向を決定する手段である。
連結位置決定手段５６−２は、連結方向の長さを。累積加算し、後に続く画像が連結される各ページ毎の位置を決定する手段である。
転送回数計数手段５６−３は、同一画像を連結方向に繰り返す回数を計数する手段である。
画像連結手段５６−４は、画像連結方向決定手段５６−１及び連結位置決定手段５６−２の決定、及び、転送回数計数手段５６−３の計測結果に基づいて後に続く画像を連結する手段である。
他の構成部分は、実施例１と同様なので説明を省略する。
【０１１８】
次に実施例６の動作について説明する。
画像入力部１（図３１）の動作は実施例１と同様なので説明を省略して制御部５６（図３１）の動作のみについて説明する。
図３４は、実施例６の制御部の動作フローチャートである。
ステップＳ６−１からステップＳ６−１８まで制御部の動作をステップ順に説明する。
ステップＳ６−１
制御部５６（図３１）は、画像読取制御手段１−５（図２）から読み取り準備完了通知を受け入れると次へ進む。
ステップＳ６−２
制御部５６（図３１）の制御に基づいて設定操作部５３（図３１）は、操作者に対して読み取り解像度と読み取りモードと、連結方向指定と、同一画像の繰り返し回数の入力を求めて表示部５へ図３３に示す表示を行う。
【０１１９】
ステップＳ６−３
制御部５６（図３１）は、操作者の読み取り解像度と読み取りモードと、連結方向指定と、同一画像の繰り返し回数の入力を待って待機し、入力があると次へ進む。
ステップＳ６−４
制御部５６（図３１）は、自己が記憶する連結後の画像全長Ｙ０、及び、連結後の画像幅Ｘ０を０にクリアして次へ進む。
【０１２０】
ステップＳ６−５
制御部５６（図３１）は、画像読取制御手段１−５（図２）に対して読み取り実行許可を通知する。
ステップＳ６−６
制御部５６（図３１）は、画像データを受け入れてページバッファ２−１（図２）へ格納する。
【０１２１】
ステップＳ６−７
制御部５６（図３１）は、１ページ分全ての画像データを受け入れるまでステップＳ６−６及びステップＳ６−７を継続し、受け入れが完了すると次へ進む。
ステップＳ６−８
制御部５６（図３１）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【０１２２】
ステップＳ６−９
制御部５６（図３１）の転送回数計数手段５６−３（図３１）は、設定操作部５３（図３１）から同一画像の繰り返し回数を取得して、繰り返し数設定ｎにセットし計数Ｊをクリアする。
ステップＳ６−１０
制御部５６（図３１）の画像連結方向決定手段５６−１（図３１）は、操作者による連結方向指定の入力に基づいて挿入方向に「挿入方向縦」が設定されている場合にはステップＳ６−１３へ進み、挿入方向に「挿入方向横」が設定されている場合にはステップＳ６−１１へ進む。
【０１２３】
ステップＳ６−１１
制御部５６（図３１）の画像連結手段５６−４（図３１）は、画像入力部１（図３１）が読み取った方向を横に連結するモードなので、ページバッファ２−１（図３２）に転送されてきた画像データを、連結方向に於ける原稿幅の方向にしてイメージバッファ２−２（図３２）に転送すべく９０度回転させる。
【０１２４】
ステップＳ６−１２
制御部５６（図３１）の連結位置決定手段５６−２（図３１）は、原稿幅数Ｘｉと、原稿のライン長Ｙｉをそれぞれ入れ換える。
ステップＳ６−１３
制御部５６（図３１）の画像連結手段５６−４（図３１）は、画像データをイメージバッファ２−２（図３２）へ転送する。
【０１２５】
ステップＳ６−１４
制御部５６（図３１）の転送回数計数手段５６−３（図３１）は、同一画像繰り返し回数Ｊをインクリメントする。
ステップＳ６−１５
制御部５６（図３１）の転送回数計数手段５６−３（図３１）は、同一画像繰り返し回数Ｊが、Ｊ＝ｎになったかを調べ、Ｊ＝ｎに成ればステップＳ６−１６へ進み、Ｊ＝ｎにならなければステップＳ６−１３へ戻り、Ｊ＝ｎになるまで繰り返す。
【０１２６】
ステップＳ６−１６
制御部５６（図３１）の連結位置決定手段５６−２（図３１）は、連結後の画像全長Ｙ０に、画像の長さ（Ｙｉ×設定回数ｎ）を加算し、連結後の画像幅Ｘ０には、画像の幅Ｘ０をセットする。
ステップＳ６−１７
制御部５６（図３１）は、後に続く原稿の有無を確認し、後に続く原稿が無い場合にはステップＳ６−１８へ進み、有る場合にはステップＳ６−５へ戻って、読み取り動作開始通知を行う。
ステップＳ６−１８
制御部５６（図３１）は、イメージバッファ２−２（図３２）に格納されている画像データを画像印刷部４（図３１）へ送出してフローを終了する。
【０１２７】
図３５は、実施例６の印刷結果説明図である。
（ａ）は、挿入方向縦に原稿Ａを３回繰り返した場合を表している。
（ｂ）は、挿入方向横に原稿Ａを横に３回繰り返し、挿入方向横に原稿Ｂを３回繰り返した場合を表している。
【０１２８】
以上説明したように、本実施例によれば、図３５に示されるように、１枚の画像を設定した連結方向で設定枚数繰り返されてできた画像を形成し、所望する複数枚の画像が一定方向に連結された画像を簡便に形成することができ、一定方向に長さを持つ帯状の記録紙に出力することが可能になるという効果を得る。
【０１２９】
尚、上記説明では、画像連結方向決定手段５６−１と、連結位置決定手段５６−２と、転送回数計数手段５６−３と、画像連結手段５６−４とを制御部５６の制御手段として構成した場合について説明したが、本発明は、この例に限定されるものではない、即ち、上記手段の全て、あるいは一部を専用の電子機器で構成しても良いことは記すまでもない。
【実施例７】
【０１３０】
本実施例では背景画像などを画像合成する場合について説明する。
図３６は、実施例７の構成のブロック図である。
図に示すように実施例７の画像形成装置は、画像入力部１と、記憶部６２と、設定操作部６３と、画像印刷部４と、表示部５と、制御部６６と、データバス７と、制御バス８とを備える。実施例１との相違部分のみについて説明する。尚、実施例１と同様の部分については実施例１と同一の符号が付されている。
【０１３１】
図３７は、実施例７の記憶部の概略構成図である。
図に示すように、記憶部６２は、ページバッファ２−１と、イメージバッファ２−２と、背景バッファ６２−１とを有するメモリである。
背景バッファ６２−１は、背景となる画像の画像データと、背景を設定するか否かの設定とを格納するメモリ領域である。
【０１３２】
図３６へ戻って、設定操作部６３は、制御部６６の制御に基づいて、操作者に対して画像の連結仕様の入力を求め、その連結情報を制御部６６の求めに応じて送出する部分である。
図３８は、実施例７の設定操作部の説明図である。
実施例７の設定操作部６３は、一例として図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、挿入方向縦、挿入方向横の何れかの選択、背景合成設定６４−１として、合成のオン又はオフ、背景画像６４−２として、先頭原稿、又はページ毎、の入力を、それぞれ操作者に求めて決定ボタン３−４にて決定させる。
【０１３３】
制御部６６は、装置全体を制御するＣＰＵ（中央演算制御装置）であり、本実施例では特に、画像連結方向決定手段６６−１と、連結位置決定手段６６−２と、画像合成手段６６−３と、画像連結手段６６−４とを有する部分である。
画像連結方向決定手段６６−１は、設定操作部６３から入力された連結方向に応じて各ページ毎の連結方向を決定する手段である。
連結位置決定手段６６−２は、連結方向の長さを決定し、後に続く画像が連結される各ページ毎の位置を決定する手段である。
画像合成手段６６−３は、所定の背景画像を合成する手段である。
画像連結手段６６−４は、画像連結方向決定手段６６−１及び連結位置決定手段６６−２の決定、及び、画像合成手段６６−３の背景画像の合成設定、に基づいて後に続く画像を連結する手段である。
他の構成部分は、実施例１と同様なので説明を省略する。
【０１３４】
次に実施例７の動作について説明する。
画像入力部１（図３６）の動作は実施例１と同様なので説明を省略して制御部６６（図３６）の動作のみについて説明する。
図３９は、実施例７の制御部の動作フローチャート（その１）である。
図４０は、実施例７の制御部の動作フローチャート（その２）である。
ステップＳ７−１からステップＳ７−２１まで制御部の動作をステップ順に説明する。
ステップＳ７−１
制御部６６（図３６）は、画像読取制御手段１−５（図２）から読み取り準備完了通知を受け入れると次へ進む。
ステップＳ７−２
制御部６６（図３６）の制御に基づいて設定操作部６３（図３６）は、操作者に対して読み取り解像度と読み取りモードと、連結方向指定と、背景画像の合成設定の入力を求めて表示部５へ図３８に示す表示を行う。
【０１３５】
ステップＳ７−３
制御部６６（図３６）は、操作者の読み取り解像度と読み取りモードと、連結方向指定と、背景画像の合成設定の入力を待って待機し、入力があると次へ進む。
ステップＳ７−４
制御部６６（図３６）は、自己が記憶する連結後の画像全長Ｙ０、及び、連結後の画像幅Ｘ０を０にクリアして次へ進む。
【０１３６】
ステップＳ７−５
制御部６６（図３６）は、画像読取制御手段１−５（図２）に対して読み取り実行許可を通知する。
ステップＳ７−６
制御部６６（図３６）は、画像データを受け入れてページバッファ２−１（図３７）へ格納する。
【０１３７】
ステップＳ７−７
制御部６６（図３６）は、１ページ分全ての画像データを受け入れるまでステップＳ７−６及びステップＳ７−７を継続し、受け入れが完了すると次へ進む。
ステップＳ７−８
制御部６６（図３６）は、ページ計数値ｎをインクリメントする。
【０１３８】
ステップＳ７−９
制御部６６（図３６）の画像連結方向決定手段６６−１（図３６）は、操作者による連結方向指定の入力に基づいて挿入方向に「挿入方向縦」が設定されている場合にはステップＳ７−１１へ進み、挿入方向に「挿入方向横」が設定されている場合にはステップＳ７−１０へ進む。
【０１３９】
ステップＳ７−１０
制御部６６（図３６）の画像連結手段６６−３（図３６）は、画像入力部１（図３６）が読み取った方向を横に連結するモードなので、ページバッファ２−１（図３７）に転送されてきた画像データの連結方向を、挿入方向における原稿幅の方向にしてイメージバッファ２−２（図３２）に転送すべく画像データを９０度回転させる。
ステップＳ７−１１
制御部６６（図３６）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【０１４０】
ステップＳ７−１２
制御部６６（図３６）の画像合成手段６６−３（図３６）は、背景合成設定６４−１（図３８）がオフになっているか又は先頭原稿でない場合にはステップＳ７−１３へ進み、そうでない場合にはステップＳ７−１４へ進む。
ステップＳ７−１３
制御部６６（図３６）の画像合成手段６６−３（図３６）は、受け入れた画像データが背景画像であると判断し、この画像を背景バッファ６２−２（図３７）へ格納してステップＳ７−５へ戻って、後に続く画像を受け入れるべく、画像読取制御手段１−５（図２）に対して読み取り実行許可を通知する。
【０１４１】
ステップＳ７−１４
次の原稿が画像入力部１（図３６）から送られてくると、ｎは２になっているのでステップＳ７−１４まで通過して来る。制御部６６（図３６）の画像合成手段６６−３（図３６）は、受け入れた画像に対して背景画像がオンに設定されているか否かを判断し、オンに設定されている場合には、ステップＳ７−１５へ進み、オフに設定されている場合にはステップＳ１６へ進む。
【０１４２】
ステップＳ７−１５
制御部６６（図３６）の画像合成手段６６−３（図３６）は、受け入れた画像に対して背景画像を合成してイメージバッファ２−２（図３７）へ転送する。
ステップＳ７−１６
制御部６６（図３６）は、受け入れた画像に対して背景画像がオフに設定されている場合なので、受け入れた画像をそのままイメージバッファ２−２（図３７）へ転送する。
ステップＳ７−１７
受け入れた画像の連結方向が縦方向に設定されている場合にはステップＳ７−１８へ進み、横方向に設定されている場合にはステップＳ７−１９へ進む。
【０１４３】
ステップＳ７−１８
制御部６６（図３６）の連結位置決定手段６６−２は、連結後の画像全長Ｙ０に、原稿の長さＹｉ（ライン数）を加算し、連結後の画像幅Ｘ０に原稿幅Ｘｉをセットする。
ステップＳ７−１９
制御部６６（図３６）の連結位置決定手段６６−２は、連結後の画像全長Ｙ０に、原稿幅Ｘｉを加算し、連結後の画像幅Ｘ０にＹｉをセットする。
【０１４４】
ステップＳ７−２０
制御部６６（図３６）は、後に続く原稿の有無を確認し、後に続く原稿が無い場合にはステップＳ７−２１へ進み、有る場合にはステップ７−５へ戻って、読み取り動作開始通知を行う。
ステップＳ７−２１
制御部６６（図３６）は、イメージバッファ２−２（図３７）に格納されている画像データを画像印刷部４（図３６）へ送出してフローを終了する。
【０１４５】
図４１は、実施例７の印刷結果説明図である。
（ａ）は、原稿Ａ、Ｂ、Ｃを挿入方向縦に連結し、全ての画像に同一の背景画像を合成した場合を表している。
（ｂ）は、原稿Ａ、Ｂ、Ｃを挿入方向横に連結し、全ての画像に同一の背景画像を合成した場合を表している。
（ｃ）は、原稿Ａ、Ｃを挿入方向縦に連結し、各々異なる背景画像を合成した場合を表している。
【０１４６】
以上説明したように、本実施例によれば、図４１に示されるように、１枚、乃至連結する画像毎に原稿の背景を設定し、一定方向に連結された画像を形成することが出来るので、表現力の高い、一定方向に連結された画像を柔軟、且つ簡便に形成することが出来、一定方向に長さを持つ帯状の記録紙に出力することが可能になるという効果を得る。
【０１４７】
尚、上記説明では、画像連結方向決定手段６６−１と、連結位置決定手段６６−２と、画像合成手段６６−３と、画像連結手段６６−４とを制御部６６の制御手段として構成した場合について説明したが、本発明は、この例に限定されるものではない、即ち、上記手段の全て、あるいは一部を専用の電子機器で構成しても良いことは記すまでもない。
【実施例８】
【０１４８】
本実施例では、受け入れた画像の色彩を変化させた画像を形成する場合について説明する。
図４２は、実施例８の構成のブロック図である。
図に示すように実施例８の画像形成装置は、画像入力部１と、記憶部７２と、設定操作部７３と、画像印刷部４と、表示部５と、制御部７６と、データバス７と、制御バス８とを備える。実施例１との相違部分のみについて説明する。尚、実施例１と同様の部分については実施例１と同一の符号が付されている。
【０１４９】
図４３は、実施例８の記憶部の概略構成図である。
図に示すように、記憶部７２は、ページバッファ２−１と、イメージバッファ２−２と、ページ毎色変更設定格納領域７２−１と、ページ毎ドット数ライン数格納領域７２−２とを有するメモリである。
ページ毎色変更設定格納領域７２−１は、各ページ毎の色変更の設定を格納するメモリ領域である。
ページ毎ドット数ライン数格納領域７２−２は、各ページ毎のライン数、及びドット数を格納するメモリ領域である。
【０１５０】
図４２へ戻って、設定操作部７４は、制御部７６の制御に基づいて、操作者に対して画像の連結仕様の入力を求め、その連結情報を制御部７６の求めに応じて送出する部分である。
図４４は、実施例８の設定操作部の説明図である。
実施例８の設定操作部７３は、一例として図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、挿入方向縦、挿入方向横の何れかの選択、色変更７４−１として、オン、オフの選択の入力を、それぞれ操作者に求めて決定ボタン３−４にて決定させる。
【０１５１】
図４５は、色設定の指示画面である。
この図は、操作者が、上記図４４に於いて、色変更７４−１を、オンに設定すると引き続いて表示される画面である。操作者は、この画面を観て各ページ毎の色変更を設定することになる。
【０１５２】
図４２に戻って、制御部７６は、装置全体を制御するＣＰＵ（中央演算制御装置）であり、本実施例では特に、画像連結方向決定手段７６−１と、連結位置決定手段７６−２と、画像色変更手段７６−３と、画像連結手段７６−４とを有する部分である。
画像連結方向決定手段７６−１は、設定操作部７３から入力された連結方向に応じて各ページ毎の連結方向を決定する手段である。
連結位置決定手段７６−２は、連結方向の長さを累積加算し、後に続く画像が連結される各ページ毎の位置を決定する手段である。
画像色変更手段７６−３は、各ページ毎の色を変更する手段である。
画像連結手段７６−４は、画像連結方向決定手段７６−１及び連結位置決定手段７６−２の決定、及び、画像色変更手段７６−３の設定に基づいて後に続く画像を連結する手段である。
他の構成部分は、実施例１と同様なので説明を省略する。
【０１５３】
次に実施例８の動作について説明する。
画像入力部１（図４２）の動作は実施例１と同様なので説明を省略して制御部７６（図４２）の動作のみについて説明する。
図４６は、実施例８の制御部の動作フローチャート（その１）である。
図４７は、実施例８の制御部の動作フローチャート（その２）である。
ステップＳ８−１からステップＳ８−２５まで制御部の動作をステップ順に説明する。
ステップＳ８−１
制御部７６（図４２）は、画像読取制御手段１−５（図２）から読み取り準備完了通知を受け入れると次へ進む。
ステップＳ８−２
制御部７６（図４２）の制御に基づいて設定操作部７３（図４２）は、操作者に対して読み取り解像度と読み取りモードと、連結方向指定と、色変更についての入力を求めて表示部５へ図４４に示す表示を行う。
【０１５４】
ステップＳ８−３
制御部７６（図４２）は、操作者の読み取り解像度と読み取りモードと、連結方向指定と、色変更についての入力を待って待機し、入力があると次へ進む。
ステップＳ８−４
制御部７６（図４２）は、自己が記憶する連結後の画像全長Ｙ０、連結後の画像幅Ｘ０、及び、ページ計数値ｎを０にクリアして次へ進む。
【０１５５】
ステップＳ８−５
制御部７６（図４２）は、画像読取制御手段１−５（図２）に対して読み取り実行許可を通知する。
ステップＳ８−６
制御部７６（図４２）は、画像データを受け入れてページバッファ２−１（図７２）へ格納する。
【０１５６】
ステップＳ８−７
制御部７６（図４２）は、１ページ分全ての画像データを受け入れるまでステップＳ８−６及びステップＳ８−７を継続し、受け入れが完了すると次へ進む。
ステップＳ８−８
制御部７６（図４２）は、ページ計数値ｎをインクリメントする。
ステップＳ８−９
制御部７６（図４２）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【０１５７】
ステップＳ８−１０
制御部７６（図４２）は、受け入れたライン長Ｙｉ（ライン数）、及び、原稿幅数Ｘｉ（ドット数）をｎページ目のものとしてＹｉ[ｎ]、Ｘｉ[ｎ]をページ毎ドット数ライン数格納領域７２−２（図４３）へ格納する。
ステップＳ８−１１
制御部７６（図４２）は、次原稿がある場合は、再びステップＳ８−５へ戻って、原稿が無くなるまで読み取り動作を繰り返して画像データをイメージバッファ２−２（図４３）に全て格納する。
【０１５８】
ステップＳ８−１２
制御部７６（図４２）の画像色変更手段７６−３（図４２）は、表示部５（図４２）に図４５の色設定の表示画面を表示して操作者の設定入力を求める。
ステップＳ８−１３
制御部７６（図４２）の画像色変更手段７６−３（図４２）は、操作者によるｎページ分の設定入力をページ毎色変更設定格納領域７２−１（図４３）へ格納する。
【０１５９】
ステップＳ８−１４
制御部７６（図４２）の画像色変更手段７６−３（図４２）は、色変更処理するページの値ｍに１をセットし、イメージバッファ２−２（図４３）からの読み出し位置Ｐを０にクリアする。
ステップＳ８−１５
制御部７６（図４２）の画像色変更手段７６−３（図４２）は、ページ毎色変更設定格納領域７２−１（図４３）からｍページ目の色変更設定を、ページ毎ドット数ライン数格納領域７２−２（図４３）からｍページ目のＹｉ[ｍ]、Ｘｉ[ｍ]を読み出す。
【０１６０】
ステップＳ８−１６
制御部７６（図４２）の画像色変更手段７６−３（図４２）は、ステップＳ８−１５で取得した読み出し位置に基づいてイメージバッファ２−２（図４３）から画像データを読み出す。
ステップＳ８−１７
制御部７６（図４２）の画像色変更手段７６−３（図４２）は、ステップＳ８−１５で取得した色変更設定に基づいてステップＳ８−１６で読み出した画像データの色を変更する。
【０１６１】
ステップＳ８−１８
制御部７６（図４２）の画像連結方向決定手段７６−１（図４２）は、操作者による連結方向指定の入力に基づいて連結方向に「挿入方向縦」が設定されている場合にはステップＳ８−１９へ進み、連結方向に「挿入方向横」が設定されている場合にはステップＳ８−２０へ進む。
ステップＳ８−１９
制御部７６（図４２）の連結位置決定手段７６−２（図４２）は、連結後の画像幅Ｘ０にドット数Ｘｉ[ｍ]をセットし、連結後の画像長Ｙ０にライン数Ｙｉ[ｍ]を加算する。
【０１６２】
ステップＳ８−２０
制御部７６（図４２）の画像連結手段７６−４（図４２）は、画像入力部１（図４２）が読み取った方向を横に連結するモードなので、画像データを、連結方向を原稿幅の方向にしてイメージバッファ２−２（図４３）に再格納すべく９０度回転させる。
ステップＳ８−２１
制御部７６（図４２）の連結位置決定手段７６−２（図４２）は、連結後の画像幅Ｘ０にライン数Ｙｉ[ｍ]をセットし、連結後の画像長Ｙ０にドット数Ｘｉ[ｍ]を加算する。
【０１６３】
ステップＳ８−２２
制御部７６（図４２）の連結位置決定手段７６−２（図４２）は、処理した画像をイメージバッファ２−２（図４３）に書き戻す。
ステップＳ８−２３
制御部７６（図４２）の連結位置決定手段７６−２（図４２）は、読み出し位置Ｐに、画像ライン数Ｙｉ[ｍ]×画像ドット数Ｘｉ[ｍ]を加算し、次の読み出し位置をセットした後処理ページ数ｍをインクリメントする。
【０１６４】
ステップＳ８−２４
制御部７６（図４２）は、全ページに渡ってステップＳ８−１５からステップＳ８−２４のフローを繰り返した後ステップＳ８−２５へ進む。
ステップＳ８−２５
制御部７６（図４２）は、イメージバッファ２−２（図４３）に格納されている画像データを画像印刷部４（図４２）へ送出してフローを終了する。
【０１６５】
以上説明したように、本実施例によれば、連結される画像毎に原稿の印刷色が設定され、一定方向に連結された画像を柔軟に、かつ簡便に形成することが出来、一定方向に長さを持つ帯状の記録紙に出力することが出来るという効果を得る。
【０１６６】
尚、上記説明では、画像連結方向決定手段７６−１と、連結位置決定手段７６−２と、画像色変更手段７６−３と、画像連結手段７６−４とを制御部７６の制御手段として構成した場合について説明したが、本発明は、この例に限定されるものではない、即ち、上記手段の全て、あるいは一部を専用の電子機器で構成しても良いことは記すまでもない。
【実施例９】
【０１６７】
本実施例では、画像印刷に先立って、記録用紙のサイズを画像入力部で計測する場合について説明する。
図４８は、実施例９の構成のブロック図である。
図に示すように実施例９の画像形成装置は、画像入力部１と、記憶部８２と、設定操作部８３と、画像印刷部４と、表示部５と、制御部８６と、データバス７と、制御バス８とを備える。実施例１との相違部分のみについて説明する。尚、実施例１と同様の部分については実施例１と同一の符号が付されている。
【０１６８】
図４９は、実施例９の記憶部の概略構成図である。
図に示すように、記憶部８２は、ページバッファ２−１と、イメージバッファ２−２と、記録紙サイズ記憶領域８２−１とを有するメモリである。
記録紙サイズ記憶領域８２−１は、記録紙のサイズを格納するメモリ領域である。
【０１６９】
図４８へ戻って、設定操作部８３は、制御部８６の制御に基づいて、操作者に対して画像の連結仕様の入力を求め、その連結情報を制御部８６の求めに応じて送出する部分である。
図５０は、実施例９の設定操作部の説明図（その１）である。
実施例９の設定操作部８３は、一例として図に示す画像を表示部５へ表示して、最初に記録紙のサイズ測定モードについて操作者の選択を求めて決定ボタン８３−３にて決定させる。
【０１７０】
図５１は、実施例９の設定操作部の説明図（その２）である。
実施例９の設定操作部８３は、記録紙のサイズ測定モードの選択を受け入れると、一例として図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、挿入方向縦、挿入方向横の何れかの選択の入力を、それぞれ操作者に求めて決定ボタン３−４にて決定させる。
【０１７１】
図４８に戻って、制御部８６は、装置全体を制御するＣＰＵ（中央演算制御装置）であり、本実施例では特に、画像連結方向決定手段８６−１と、連結位置決定手段８６−２と、拡大・縮小手段８６−３と、画像連結手段８６−４とを有する部分である。
画像連結方向決定手段８６−１は、設定操作部８３から入力された連結方向に応じて各ページ毎の連結方向を決定する手段である。
連結位置決定手段８６−２は、連結方向の長さを累積し、後に続く画像が連結される各ページ毎の位置を決定する手段である。
拡大・縮小手段８６−３は、画像を記録紙の大きさにあわせて拡大・縮小する手段である。
画像連結手段８６−４は、画像連結方向決定手段８６−１及び連結位置決定手段８６−２の決定、及び、拡大・縮小手段８６−３の画像拡大・縮小に基づいて後に続く画像を連結する手段である。
他の構成部分は、実施例１と同様なので説明を省略する。
【０１７２】
次に実施例９の動作について説明する。
画像入力部１（図４８）の動作は実施例１と同様なので説明を省略して制御部８６（図４８）の動作のみについて説明する。
図５２は、実施例９の制御部の動作フローチャート（その１）である。
図５３は、実施例９の制御部の動作フローチャート（その２）である。
ステップＳ９−１からステップＳ９−２４まで制御部の動作をステップ順に説明する。
【０１７３】
ステップＳ９−１
制御部８６（図４８）は、画像読取制御手段１−５（図２）から読み取り準備完了通知を受け入れると次へ進む。
ステップＳ９−２
制御部８６（図４８）の制御に基づいて設定操作部８３（図４８）は、操作者に対して記録紙測定か通常設定の選択を求めて表示部５（図４８）へ図５０に示す表示を行う。
【０１７４】
ステップＳ９−３
設定操作部８３（図４８）は、操作者の選択を待って待機し、操作者が記録紙の測定を設定した場合にはステップＳ９−５へ進み、通常設定を選択した場合にはステップＳ９−４へ進む。
ステップＳ９−４
制御部８６（図４８）の制御に基づいて設定操作部７３（図４２）は、操作者に対して読み取り解像度と読み取りモードと、連結方向指定と、の入力を求めて表示部５へ図５１に示す表示を行う。
【０１７５】
ステップＳ９−５
制御部８６（図４８）は、操作者の入力を待って待機し、入力があると次へ進む。
ステップＳ９−６
制御部８６（図４８）は、画像読取制御手段１−５（図２）に対して読み取り実行許可を通知する。
【０１７６】
ステップＳ９−７
制御部８６（図４８）は、自己が記憶する連結後の画像全長Ｙ０、及び、連結後の画像幅Ｘ０を０にクリアして次へ進む。
ステップＳ９−８
上記ステップＳ９−３で記録紙測定が設定されている場合にはステップＳ９−９へ進み、通常設定が設定されている場合にはステップＳ９−１０へ進む。
【０１７７】
ステップＳ９−９
制御部８６（図４８）は、画像データを廃棄する。
ステップＳ９−１０
制御部８６（図４８）は、画像データを受け入れてページバッファ２−１（図４９）へ格納する。
ステップＳ９−１１
制御部８６（図４８）は、原稿一枚の画像データ全ての受け入れが終了するまでステップＳ９−８からステップＳ９−１１を繰り返し、終了後にステップＳ９−１２へ進む。
【０１７８】
ステップＳ９−１２
制御部８６（図４８）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
ステップＳ９−１３
上記ステップＳ９−３で記録紙測定が設定されている場合にはステップＳ９−１４へ進み、通常設定が設定されている場合にはステップＳ９−１５へ進む。
【０１７９】
ステップＳ９−１４
制御部８６（図４８）は、記録紙のサイズを記録紙サイズ記憶領域８２−１（図４９）に格納した後ステップＳ９−１へ戻る。もはや記録紙の測定は終了したので、その後は、原稿の測定になり、ステップＳ９−３ではステップＳ９−４へ分岐し、ステップＳ９−８ではステップＳ９−１０へ分岐し、ステップＳ９−１３からステップＳ９−１５へ進む。
【０１８０】
ステップＳ９−１５
制御部８６（図４８）の画像連結方向決定手段８６−１（図４８）は、操作者による連結方向指定の入力に基づいて連結方向に「挿入方向縦」が設定されている場合にはステップＳ９−１８へ進み、連結方向に「挿入方向横」が設定されている場合にはステップＳ９−１６へ進む。
ステップＳ９−１６
制御部８６（図４８）の画像連結手段８６−４（図４８）は、画像入力部１（図４８）が読み取った方向を横に連結するモードなので、ページバッファ２−１（図４９）に転送されてきた画像データを９０度回転する。連結方向は、挿入方向における原稿幅の方向である。
【０１８１】
ステップＳ９−１７
制御部８６（図４８）の連結位置決定手段８６−２（図４８）は、原稿幅数Ｘｉと、原稿のライン長Ｙｉをそれぞれ入れ換える。
ステップＳ９−１８
制御部８６（図４８）の画像連結手段８６−４（図４８）は、画像データをイメージバッファ２−２（図４９）へ転送する。
【０１８２】
ステップＳ９−１９
制御部８６（図４８）の連結位置決定手段８６−２（図４８）は、連結後の画像幅Ｘ０にＸｉをセットし、連結後の画像全長Ｙ０にＹｉを加算する。
ステップＳ９−２０
制御部８６（図４８）は、後に続く原稿の有無を確認し、後に続く原稿が無い場合にはステップＳ９−２１へ進み、有る場合にはステップＳ９−８へ戻って、読み取り動作開始通知を行う。
【０１８３】
ステップＳ９−２１
制御部８６（図４８）の拡大・縮小手段８６−３（図４８）は、記録紙のサイズが記録紙サイズ記憶領域８２−１（図４９）に格納されているか否かを確認し、格納されている場合にはステップＳ９−２２へ進み、格納されていない場合にはステップＳ９−２４へ進む。
【０１８４】
ステップＳ９−２２
制御部８６（図４８）の拡大・縮小手段８６−３は、連結後の画像幅、画像長と、記録紙サイズ記憶領域８２−１（図４９）に格納されている記録紙のサイズから、幅方向と長さ方向の縮小・拡大率を算出する。幅方向の縮小・拡大率は、記録紙ドット数Ｘｒ÷連結後の画像幅Ｘ０として算出し、長さ方向の縮小・拡大率は、記録紙ライン数Ｙｒ÷連結後画像長Ｙ０として算出する。
ステップＳ９−２４
制御部８６（図４８）は、イメージバッファ２−２（図４９）に格納されている画像データを画像印刷部４（図４８）へ送出してフローを終了する。
【０１８５】
図５４は、実施例９の印刷結果説明図である。
（ａ）は、原稿Ａ、Ｂ、Ｃを挿入方向の縦方向に連結し、連結した画像を記録紙サイズまで拡大した場合を表している。
（ｂ）は、原稿Ａ、Ｂ、Ｃを挿入方向の横方向に連結し、連結した画像の幅を記録紙サイズまで拡大し、連結した画像の長さを記録紙サイズまで縮小した場合を表している。
【０１８６】
以上説明したように、本実施例によれば、記録用紙のサイズ（長さと幅）を印刷開始前に測定しておくことによって、記録紙のサイズを操作者が人手によって測定する必要が無くなる。又、記録用紙のサイズに一致した画像を柔軟、且つ簡便に形成し、一定方向に長さを持つ帯状の記録紙に出力することが可能になるという効果を得る。
【０１８７】
尚、上記説明では、画像連結方向決定手段８６−１と、連結位置決定手段８６−２と、拡大・縮小手段８６−３と、画像連結手段８６−４とを制御部８６の制御手段として構成した場合について説明したが、本発明は、この例に限定されるものではない、即ち、上記手段の全て、あるいは一部を専用の電子機器で構成しても良いことは記すまでもない。
【実施例１０】
【０１８８】
上記実施例９では、画像印刷に先立って、記録用紙のサイズを画像入力部で計測する場合について説明したが、本実施例では、画像印刷に先立って、記録用紙のサイズを画像印刷部で計測する場合について説明する。
図５５は、実施例１０の構成のブロック図である。
図に示すように実施例１０の画像形成装置は、画像入力部１と、記憶部９２と、設定操作部９３と、画像印刷部９４と、表示部５と、制御部９６と、データバス７と、制御バス８とを備える。実施例９との相違部分のみについて説明する。尚、実施例９と同様の部分については実施例９と同一の符号が付されている。
【０１８９】
図５６は、実施例１０の記憶部の概略構成図である。
図示すように、記憶部９２は、ページバッファ２−１と、イメージバッファ２−２と、記録紙サイズ記憶領域９２−１とを有するメモリである。
記録紙サイズ記憶領域９２−１は、記録紙のサイズの幅と長さとを格納するメモリ領域である。
【０１９０】
設定操作部９３は、制御部９６の制御に基づいて、操作者に対して画像の連結仕様の入力を求め、その連結情報を制御部９６の求めに応じて送出する部分である。
図５７は、実施例１０の設定操作部の説明図（その１）である。
実施例１０の設定操作部９３は、一例として図に示す画像を表示部５へ表示して、最初に記録紙のサイズ測定モードについて操作者の選択を求めて決定ボタン９３−３にて決定させる。
【０１９１】
図５８は、実施例１０の設定操作部の説明図（その２）である。
実施例１０の設定操作部９３は、記録紙のサイズ測定モードを選択した操作者に対して一例として図に示す画像を表示部５へ表示して、記録紙幅入力９３−４によって記録紙の幅を入力させ決定ボタン９３−５にて決定させる。
【０１９２】
図５９は、実施例１０の設定操作部の説明図（その３）である。
実施例１０の設定操作部９３は、通常の読み取りモードの選択を求めた操作者に対して、一例として図に示す画像を表示部５へ表示して、読取解像度３−１として、２０００ＤＰＩ、３０００ＤＰＩ、６０００ＤＰＩの何れかの選択、読取モード３−２として、モノクロ、グレー、カラーの何れかの選択、連結方向指定３−３として、連結方向[縦]、連結方向[横]の何れかの選択の入力を、それぞれ操作者に求めて決定ボタン３−４にて決定させる。
【０１９３】
図５５に戻って、画像印刷部９４は、画像データを受け入れて印刷画像を出力すると共に、印刷に先立って記録紙の長さを測定する部分である。
図６０は、画像印刷部の機構概略説明図である。
この図は、一例としてカラー電子写真プリンタの主要構成部分のみを表した側面図である。本実施例に関係する部分のみについて、その概要を説明する。
【０１９４】
図に示すように、記録紙９９がカラー電子写真プリンタの記録紙搬送ラインに挿入されると記録紙検出センサ１０９が記録紙９９を検出し、記録紙検出信号を印刷制御部１０７へ送出する。印刷が開始され、記録紙９９は、搬送ベルト１０４によって図中右から左へ搬送される。この用紙搬送中に、回転している感光体１００（Ｙ、Ｍ、Ｃ、Ｋ）上にＬＥＤヘッド１０１（Ｙ、Ｍ、Ｃ、Ｋ）によって静電潜像が形成される。その静電潜像に、現像器１０４（Ｙ、Ｍ、Ｃ、Ｋ）からトナーが供給され現像される。現像されたトナーは転写器１０５（Ｙ、Ｍ、Ｃ、Ｋ）によって記録紙９９上に転写される。この記録紙９９上に転写されたトナーが定着器１１０によって記録紙９９上に定着される。この工程の中で記録紙検出センサ１０９が記録紙９９を検出しなくなると、記録紙検出信号の送出が停止される。
【０１９５】
これらの動作は全て印刷制御部１０７によって制御される。又、印刷制御部１０７は、本実施例によって記録紙長測定手段９４−１を備える。
記録紙長測定手段９４−１は、記録紙検出信号の受け入れから停止するまでの感光体１００（Ｙ、Ｍ、Ｃ、Ｋ）の回転量をパルスカウンタ１０８が送出したパルス数から算出し、記録紙長を測定する手段である。
【０１９６】
図５５に戻って、制御部９６は、装置全体を制御するＣＰＵ（中央演算制御装置）であり、本実施例では特に、画像連結方向決定手段９６−１と、連結位置決定手段９６−２と、拡大・縮小手段９６−３と、画像連結手段９６−４と、記録紙条件設定手段９６−５とを有する部分である。
画像連結方向決定手段９６−１は、設定操作部９３から入力された連結方向に応じて各ページ毎の連結方向を決定する手段である。
【０１９７】
連結位置決定手段９６−２は、連結方向の長さを累積し、後に続く画像が連結される各ページ毎の位置を決定する手段である。
拡大・縮小手段９６−３は、画像を記録紙の大きさにあわせて拡大・縮小する手段である。
画像連結手段９６−４は、画像連結方向決定手段９６−１、連結位置決定手段９６−２の決定、及び、拡大・縮小手段９６−３の画像拡大・縮小に基づいて後に続く画像を連結する手段である。
記録紙条件設定手段９６−５は、画像印刷に使用される記録紙の長さと幅を設定する手段である。
他の構成部分は、実施例９と同様なので説明を省略する。
【０１９８】
次に実施例１０の動作について説明する。
画像入力部１（図４７）の動作は実施例１と同様なので説明を省略して制御部９６（図４７）の動作のみについて説明する。
図６１は、実施例１０の制御部の動作フローチャート（その１）である。
図６２は、実施例１０の制御部の動作フローチャート（その２）である。
ステップＳ１０−１からステップＳ１０−２７まで制御部の動作をステップ順に説明する。
【０１９９】
ステップＳ１０−１
制御部９６（図５５）は、画像読取制御手段１−５（図２）から読み取り準備完了通知を受け入れると次へ進む。
ステップＳ１０−２
制御部９６（図５５）の制御に基づいて設定操作部９３（図５５）は、操作者に対して記録紙測定か通常設定の選択を求めて表示部５（図５５）へ図５７に示す表示を行う。
【０２００】
ステップＳ１０−３
制御部９６（図５５）は、操作者の入力を待って待機し、入力があると次へ進む。
ステップＳ１０−４
設定操作部９３（図５５）が、操作者の選択を待って待機し、操作者が記録紙の測定を設定した場合にはステップＳ１０−５へ進み、通常設定を選択した場合にはステップＳ１０−１１へ進む。
【０２０１】
ステップＳ１０−５
制御部９６（図５５）の記録紙条件設定手段９６−５（図５５）は、印刷に先立って記録紙長の測定を求め、印刷制御部１０７（図６０）の記録紙長測定手段９４−１に対して記録紙長測定モード実行通知をする。
ステップＳ１０−６
制御部９６（図５５）の記録紙条件設定手段９６−５（図５５）は、記録紙長測定手段９４−１（図６０）の動作完了を待って待機する。
ステップＳ１０−７
制御部９６（図５５）の記録紙条件設定手段９６−５（図５５）は、記録紙長測定手段９４−１（図６０）から記録紙長を受け入れる。
【０２０２】
ステップＳ１０−８
制御部９６（図５５）の制御に基づいて設定操作部９３（図５５）は、操作者に対して記録紙幅の入力を求めて表示部５（図５５）へ図５８に示す表示を行って、操作者に記録紙幅を入力させる。
ステップＳ１０−９
制御部９６（図５５）の記録紙条件設定手段９６−５（図５５）は、設定操作部９３（図５５）から記録紙幅をｍｍ単位で受け入れる。
【０２０３】
ステップＳ１０−１０
制御部９６（図５５）の記録紙条件設定手段９６−５（図５５）は、記録紙長と記録紙幅とを記録紙サイズ記憶領域９２−１（図５６）に格納してステップＳ１０−４へ戻る。その場合には、既に、記録紙サイズの格納が終了しているのでステップＳ１０−１１へ進む。
ステップＳ１０−１１
制御部９６（図５５）の制御に基づいて設定操作部９３（図５５）は、操作者に対して読み取り解像度と読み取りモードと、連結方向指定と、の入力を求めて表示部５へ図５９に示す表示を行う。
【０２０４】
ステップＳ１０−１２
制御部９６（図５５）は、操作者の入力を待って待機し、入力があると次へ進む。
ステップＳ１０−１３
制御部９６（図５５）は、自己が記憶する連結後の画像全長Ｙ０、及び、連結後の画像幅Ｘ０を０にクリアして次へ進む。
ステップＳ１０−１４
制御部９６（図５５）は、画像読取制御手段１−５（図２）に対して読み取り実行許可を通知する。
【０２０５】
ステップＳ１０−１５
制御部９６（図５５）は、画像データを受け入れてページバッファ２−１（図２）へ格納する。
ステップＳ１０−１６
制御部９６（図５５）は、１ページ分全ての画像データを受け入れるまでステップＳ１０−１５及びステップＳ１０−１６を継続し、受け入れが完了すると次へ進む。
ステップＳ１０−１７
制御部９６（図５５）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【０２０６】
ステップＳ１０−１８
制御部９６（図５５）の画像連結方向決定手段９６−１（図５５）は、操作者による連結方向指定の入力に基づいて連結方向が「挿入方向縦」が設定されている場合にはステップＳ１０−１９へ進み、連結方向が「挿入方向横」が設定されている場合にはステップＳ１０−２１へ進む。
ステップＳ１０−１９
制御部９６（図５５）の画像連結手段９６−４（図５５）は、画像入力部１（図５５）が挿入方向に読み取った方向のまま、縦に連結するモードなので、ページバッファ２−１（図５６）に転送されてきた画像データをそのまま、イメージバッファ２−２（図５６）に転送する。
【０２０７】
ステップＳ１０−２０
制御部９６（図５５）の連結位置決定手段９６−２（図５５）は、連結後に自己が記憶する連結後の画像全長Ｙ０に原稿のライン長Ｙｉを、連結後の画像幅Ｘ０に原稿幅数Ｘｉをそれぞれ加算する。
ステップＳ１０−２１
制御部９６（図５５）の画像連結手段９６−７（図５５）は、画像入力部１（図５５）が読み取った方向を横に連結するモードなので、ページバッファ２−１（図５６）に転送されてきた画像データを９０度回転した後、イメージバッファ２−２（図５６）に転送する。連結方向は、原稿幅の方向である。
【０２０８】
ステップＳ１０−２２
制御部９６（図５５）の連結位置決定手段９６−２（図５５）は、連結後に自己が記憶する連結後の画像全長Ｙ０に原稿幅数Ｘｉを、連結後の画像幅Ｘ０に原稿のライン長Ｙｉをそれぞれ加算する。
ステップＳ１０−２３
制御部９６（図５５）は、後に続く原稿の有無を確認し、後に続く原稿が無い場合にはステップＳ１０−２４へ進み、有る場合にはステップＳ１０−１５へ戻って後に続く画像データを受け入れてページバッファ２−１（図２）へ格納する。
【０２０９】
ステップＳ１０−２４
制御部９６（図５５）の拡大・縮小手段９６−３（図５５）は、記録紙のサイズが記録紙サイズ記憶領域９２−１（図５５）に格納されているか否かを確認し、格納されている場合にはステップＳ１０−２５へ進み、格納されていない場合にはステップＳ１０−２７へ進む。
【０２１０】
ステップＳ１０−２５
制御部９６（図５５）の拡大・縮小手段９６−３は、連結後の画像幅、画像長と、記録紙サイズ記憶領域９２−１（図５５）に格納されている記録紙のサイズから、幅方向と長さ方向の縮小・拡大率を算出する。幅方向の縮小・拡大率は、記録紙ドット数Ｘｒ÷連結後の画像幅Ｘ０として算出し、長さ方向の縮小・拡大率は、記録紙ライン数Ｙｒ÷連結後画像長Ｙ０として算出する。
ステップＳ１０−２５
制御部９６（図５５）は、イメージバッファ２−２（図５６）に格納されている画像データを画像印刷部９４（図５５）へ送出してフローを終了する。
【０２１１】
図６３は、実施例１０の印刷結果説明図である。
（ａ）は、原稿Ａ、Ｂ、Ｃを縦方向に挿入し、縦方向に連結し、連結した画像を記録紙サイズまで拡大した場合を表している。
（ｂ）は、原稿Ａ、Ｂ、Ｃを横方向に挿入し、横方向に連結し、連結した画像の幅を記録紙サイズまで拡大し、連結した画像の長さを記録紙サイズまで縮小した場合を表している。
【０２１２】
以上説明したように、本実施例によれば、記録用紙のサイズ（長さと幅）を印刷開始前に画像印刷部によって測定しておくことにより、記録紙のサイズを操作者が人手によって測定する必要が無くなる。又、記録用紙のサイズに一致した画像を柔軟、且つ簡便に形成し、一定方向に長さを持つ帯状の記録紙に出力することが可能になるという効果を得る。
【０２１３】
尚、上記説明では、画像連結方向決定手段９６−１と、連結位置決定手段９６−２と、拡大・縮小手段９６−３と、画像連結手段９６−４と、記録紙条件設定手段９６−５とを制御部９６の制御手段として構成した場合について説明したが、本発明は、この例に限定されるものではない、即ち、上記手段の全て、あるいは一部を専用の電子機器で構成しても良いことは記すまでもない
【実施例１１】
【０２１４】
本実施例では、画像入力部が受け入れた画像から所定の規則に従って分割画像を切り出して、この画像を画像入力部が受け入れた画像と同様に処理する場合について説明する。
図６４は、実施例１１の構成のブロック図である。
図に示すように実施例１１の画像形成装置は、画像入力部１と、記憶部１０２と、設定操作部１０３と、画像印刷部４と、表示部５と、制御部１０６と、データバス７と、制御バス８とを備える。実施例１との相違部分のみについて説明する。尚、実施例１と同様の部分については実施例１と同一の符号が付されている。
【０２１５】
図６５は、実施例１１の記憶部の概略構成図である。
図に示すように、記憶部１０２は、ページバッファ２−１と、イメージバッファ２−２と、画像分割数格納手段１０２−１とを有するメモリである。
画像分割数格納手段１０２−１は、操作者の設定による画像分割数を格納するメモリ領域である。
【０２１６】
設定操作部１０３は、制御部１０６の制御に基づいて、操作者に対して画像の連結仕様の入力を求め、その連結情報を制御部１０６の求めに応じて送出する部分である。
図６６は、実施例１１の設定操作部の説明図である。
実施例１１の設定操作部１０３は、一例として図に示す画像を表示部５へ表示して、最初に記録紙のサイズ測定モードについて操作者の選択を求めて決定ボタン３−５にて決定させる。
【０２１７】
図６４に戻って、制御部１０６は、装置全体を制御するＣＰＵ（中央演算制御装置）であり、本実施例では特に、画像連結方向決定手段１０６−１と、連結位置決定手段１０６−２と、画像切り出し手段１０６−３と、画像連結手段１０６−４とを有する部分である。
画像連結方向決定手段１０６−１は、設定操作部１０３から入力された連結方向に応じて各ページ毎の連結方向を決定する手段である。
連結位置決定手段１０６−２は、連結方向の長さを累積加算し、後に続く画像が連結される各ページ毎の位置を決定する手段である。
画像切り出し手段１０６−３は、設定操作部１０３から入力された分割数に応じて画像を分割し、画像連結方向決定手段１０６−１及び連結位置決定手段１０６−２の決定、に基づいて分割された画像を連結する手段である。
他の構成部分は、実施例９と同様なので説明を省略する。
【０２１８】
次に実施例１１の動作について説明する。
画像入力部１（図６４）の動作は実施例１と同様なので説明を省略して制御部１０６（図６４）の動作のみについて説明する。
図６７は、実施例１１の制御部の動作フローチャート（その１）である。
図６８は、実施例１１の制御部の動作フローチャート（その１）である。
ステップＳ１１−１からステップＳ１０−３１まで制御部の動作をステップ順に説明する。
【０２１９】
ステップＳ１１−１
制御部１０６（図６４）は、画像読取制御手段１−５（図２）から読み取り準備完了通知を受け入れると次へ進む。
ステップＳ１１−２
制御部１０６（図６４）は、操作者に対して読み取り解像度と読み取りモードと、連結方向指定と、分割数ｎの入力とを求めて表示部５へ図６６に示す表示を行う。
【０２２０】
ステップＳ１１−３
制御部１０６（図６４）は、操作者の読み取り解像度と読み取りモードと、連結方向指定と、分割数ｎの入力との入力を待って待機し、入力があると次へ進む。
ステップＳ１１−４
制御部１０６（図６４）は、自己が記憶する連結後の画像全長Ｙ０、及び、連結後の画像幅Ｘ０を０にクリアして次へ進む。
【０２２１】
ステップＳ１１−５
制御部１０６（図６４）は、画像読取制御手段１−５（図２）に対して読み取り実行許可を通知する。
ステップＳ１１−６
制御部１０６（図６４）は、画像データを受け入れてページバッファ２−１（図３）へ格納する。画像データは、Ａ[０][０]〜Ａ[Ｙｉ]Ａ[Ｘｉ]の二次元配列にそって格納される。
【０２２２】
ステップＳ１１−７
制御部１０６（図６４）は、１ページ分全ての画像データを受け入れるまでステップＳ１１−６及びステップＳ１１−７を継続し、受け入れが完了すると次へ進む。
ステップＳ１１−８
制御部１０６（図６４）は、１ページ分全ての画像データを受け入れると画像読取制御手段１−５（図２）から１ページ分のライン長Ｙｉ（ライン数）、及び、原稿幅数Ｘｉ（ドット数）の通知を受け入れる。
【０２２３】
ステップＳ１１−９
制御部１０６（図６４）の画像連結方向決定手段１０６−１（図６４）は、操作者による連結方向指定の入力に基づいて連結方向「挿入方向縦」が設定されている場合にはステップＳ１１−１０へ進み、連結方向が「挿入方向横」が設定されている場合にはステップＳ１１−２０へ進む。
ステップＳ１１−１０
制御部１０６（図６４）の画像切り出し手段１０６−３（図６４）は、画像データの転送幅Ｗを算出する。ここでは連結方向が挿入方向縦、即ち、画像入力部１（図６４）が読み取った方向の画像を縦にｎ分割して縦方向に連結するモードなので、切り出される画像の幅は、（画像幅Ｘｉ÷分割数ｎ）であり、長さは、Ｙｉである。ここで分割して切り出される画像のページ数をＩとすると、Ｉページ目の幅方向の読み出し位置Ｐは、Ｉ×（Ｘｉ÷ｎ）で決定されＡ[０][Ｐ]〜Ａ[Ｙｉ][Ｐ]までの位置から、幅（Ｘｉ÷ｎ）分の画像データだけを転送することで１／ｎの幅で画像の切り出しが可能になる。
【０２２４】
ステップＳ１１−１１
制御部１０６（図６４）の画像切り出し手段１０６−３（図６４）は、Ｉを０にクリアする。
ステップＳ１１−１２
制御部１０６（図６４）の画像切り出し手段１０６−３（図６４）は、切り出し位置Ｐを求める。Ｐ＝Ｉ×Ｗとして求まる。
ステップＳ１１−１３
制御部１０６（図６４）の画像切り出し手段１０６−３（図６４）は、カウンタＪを０にクリアする。
【０２２５】
ステップＳ１１−１４
制御部１０６（図６４）の画像切り出し手段１０６−３（図６４）は、ページバッファ２−１（図６４）からＡ[Ｊ][Ｐ]〜Ａ[Ｊ][Ｐ＋Ｗ]の画像データを切り出してイメージバッファ２−２（図６４）へ転送する。
ステップＳ１１−１５
制御部１０６（図６４）の画像切り出し手段１０６−３（図６４）は、カウンタＪをインクリメントする。
ステップＳ１１−１６
制御部１０６（図６４）の画像切り出し手段１０６−３（図６４）は、Ｊ＝ＹｉになるまでステップＳ１１−４〜ステップＳ１１−１６を繰り返した後、次へ進む。
【０２２６】
ステップＳ１１−１７
制御部１０６（図６４）の画像切り出し手段１０６−３（図６４）は、カウンタＩをインクリメントする。
ステップＳ１１−１８
制御部１０６（図６４）の画像切り出し手段１０６−３（図６４）は、Ｉ＝ｎになるまでステップＳ１１−１２〜ステップＳ１１−１８を繰り返した後、次へ進む。
ステップＳ１１−１９
制御部１０６（図６４）の連結位置決定手段１０６−２（図６４）は、連結後の画像幅Ｘ０にＸｉ／ｎをセットし、連結後の画像全長Ｙ０にＹｉ×ｎをセットする。
【０２２７】
ステップＳ１１−２０
制御部１０６（図６４）の画像切り出し手段１０６−３（図６４）は、画像データの転送長Ｈを算出する。ここでは連結方向が横、即ち、画像入力部１（図６４）が読み取った挿入方向の画像幅をｎ分割し、ページバッファ上で９０度回転して連結するモードなので、切り出される画像長は、（画像長Ｙｉ÷分割数ｎ）であり、幅は、Ｘｉである。ここで分割して切り出される画像のページ数をＩとすると、Ｉページ目の幅方向の読み出し位置Ｐは、Ｉ×（Ｙｉ÷ｎ）で決定されＡ[Ｐ][０]〜Ａ[Ｐ＋Ｙｉ／ｎ][Ｘｉ]までの位置から、幅Ｘｉ、長さ（Ｙｉ／ｎ）分の画像データだけを回転して転送することで１／ｎの幅で画像の切り出しが可能になる。
【０２２８】
ステップＳ１１−２１
制御部１０６（図６４）の画像切り出し手段１０６−３（図６４）は、Ｉを０にクリアする。
ステップＳ１１−２２
制御部１０６（図６４）の画像切り出し手段１０６−３（図６４）は、切り出し位置Ｐを求める。Ｐ＝Ｉ×Ｈとして求まる。
ステップＳ１１−２３
制御部１０６（図６４）の画像切り出し手段１０６−３（図６４）は、カウンタＪを０にクリアする。
【０２２９】
ステップＳ１１−２４
制御部１０６（図６４）の画像切り出し手段１０６−３（図６４）は、ページバッファ２−１（図６４）からＡ[Ｐ＋Ｊ][０]〜Ａ[Ｐ＋Ｊ][Ｗｉ]の画像データを切り出して９０度回転してイメージバッファ２−２（図６４）へ転送する。
ステップＳ１１−２５
制御部１０６（図６４）の画像切り出し手段１０６−３（図６４）は、カウンタＪをインクリメントする。
ステップＳ１１−２６
制御部１０６（図６４）の画像切り出し手段１０６−３（図６４）は、Ｊ＝ＨになるまでステップＳ１１−２４〜ステップＳ１１−２６を繰り返した後、次へ進む。
【０２３０】
ステップＳ１１−２７
制御部１０６（図６４）の画像切り出し手段１０６−３（図６４）は、カウンタＩをインクリメントする。
ステップＳ１１−２８
制御部１０６（図６４）の画像切り出し手段１０６−３（図６４）は、Ｉ＝ｎになるまでステップＳ１１−２２〜ステップＳ１１−２８を繰り返した後、次へ進む。
制御部１０６（図６４）の連結位置決定手段１０６−２（図６４）は、連結後の画像幅Ｘ０にＹｉ／ｎをセットし、連結後の画像全長Ｙ０にＸｉ×ｎをセットする。
【０２３１】
ステップＳ１１−３０
制御部１０６（図６４）は、後に続く原稿の有無を確認し、後に続く原稿が無い場合にはステップＳ１１−３１へ進み、有る場合にはステップＳ１１−５へ戻って読み取り動作開始通知を行う。
ステップＳ１１−３１
制御部１０６（図６４）は、イメージバッファ２−２（図６４）に格納されている画像データを画像印刷部４（図６４）へ送出してフローを終了する。
【０２３２】
図６９は、実施例１１の印刷結果説明図である。
（ａ）は、縦方向に挿入された１枚の原稿を挿入方向の縦方向Ａ、Ｂに分割し、挿入方向の縦方向に連結して出力した場合を表している。
（ｂ）は、縦方向に挿入された１枚の原稿を挿入方向の横方向Ａ、Ｂ、Ｃ、Ｄに分割し、挿入方向の横方向に連結して出力した場合を表している。
【０２３３】
以上説明したように、本実施例によれば、記録用紙のサイズ（長さと幅）を印刷開始前に画像印刷部によって測定しておくことにより、記録紙のサイズを操作者が人手によって測定する必要が無くなる。又、記録用紙のサイズに一致した画像を柔軟、且つ簡便に形成し、一定方向に長さを持つ帯状の記録紙に出力することが可能になるという効果を得る。
【０２３４】
以上説明したように、本実施例によれば、図６９に示すように、１枚の原稿を任意に分割し、一定方向に連結させた画像を簡便に形成することができ、一定方向に長さを持つ帯状の記録媒体に出力することが出来るという効果を得る。
【０２３５】
尚、上記説明では、画像連結方向決定手段１０６−１と、連結位置決定手段１０６−２と、画像切り出し手段１０６−３とを制御部１０６の制御手段として構成した場合について説明したが、本発明は、この例に限定されるものではない、即ち、上記手段の全て、あるいは一部を専用の電子機器で構成しても良いことは記すまでもない
【産業上の利用可能性】
【０２３６】
上記説明では、各実施例毎に１つの課題のみを適用した例について説明したが、本発明は、この例に限定されるものではない。即ち、実施例を複数個同時に適用することが可能である。又、実施例１０に記載の印刷画像印刷部による記録紙サイズの測定については、印刷装置単体でも可能であり、記録紙の長さが不明な場合に印刷出力前に計測することが可能になる。
【図面の簡単な説明】
【０２３７】
【図１】実施例１の構成のブロック図である。
【図２】画像入力部の概略構成図である。
【図３】実施例１の記憶部の概略構成図である。
【図４】実施例１の設定操作部の説明図である。
【図５】実施例１の画像入力部の動作フローチャートである。
【図６】実施例１の制御部の動作フローチャートである。
【図７】実施例１の印刷結果説明図である。
【図８】実施例２の構成のブロック図である。
【図９】実施例２の記憶部の概略構成図である。
【図１０】実施例２の設定操作部の説明図である。
【図１１】実施例２の制御部の動作フローチャート（その１）である。
【図１２】実施例２の制御部の動作フローチャート（その２）である。
【図１３】実施例２の印刷結果説明図である。
【図１４】実施例３の構成のブロック図である。
【図１５】実施例３の記憶部の概略構成図である。
【図１６】実施例３の設定操作部の説明図である。
【図１７】実施例３の制御部の動作フローチャートである。
【図１８】実施例３の印刷結果説明図である。
【図１９】実施例４の構成のブロック図である。
【図２０】実施例４の記憶部の概略構成図である。
【図２１】実施例４の設定操作部の説明図である。
【図２２】実施例４の制御部の動作フローチャート（その１）である。
【図２３】実施例４の制御部の動作フローチャート（その２）である。
【図２４】実施例４の印刷結果説明図である。
【図２５】実施例５の構成のブロック図である。
【図２６】実施例５の記憶部の概略構成図である。
【図２７】実施例５の設定操作部の説明図である。
【図２８】実施例５の制御部の動作フローチャート（その１）である。
【図２９】実施例５の制御部の動作フローチャート（その２）である。
【図３０】実施例５の印刷結果説明図である。
【図３１】実施例６の構成のブロック図である。
【図３２】実施例６の記憶部の概略構成図である。
【図３３】実施例６の設定操作部の説明図である。
【図３４】実施例６の制御部の動作フローチャートである。
【図３５】実施例６の印刷結果説明図である。
【図３６】実施例７の構成のブロック図である。
【図３７】実施例７の記憶部の概略構成図である。
【図３８】実施例７の設定操作部の説明図である。
【図３９】実施例７の制御部の動作フローチャート（その１）である。
【図４０】実施例７の制御部の動作フローチャート（その２）である。
【図４１】実施例７の印刷結果説明図である。
【図４２】実施例８の構成のブロック図である。である。
【図４３】実施例８の記憶部の概略構成図である。
【図４４】実施例８の設定操作部の説明図である。
【図４５】色設定の指示画面である。
【図４６】実施例８の制御部の動作フローチャート（その１）である。
【図４７】実施例８の制御部の動作フローチャート（その２）である。
【図４８】実施例９の構成のブロック図である。
【図４９】実施例９の記憶部の概略構成図である。
【図５０】実施例９の設定操作部の説明図（その１）である。
【図５１】実施例９の設定操作部の説明図（その２）である。
【図５２】実施例９の制御部の動作フローチャート（その１）である。
【図５３】実施例９の制御部の動作フローチャート（その２）である。
【図５４】実施例９の印刷結果説明図である。
【図５５】実施例１０の構成のブロック図である。
【図５６】実施例１０の記憶部の概略構成図である。
【図５７】実施例１０の設定操作部の説明図（その１）である。
【図５８】実施例１０の設定操作部の説明図（その２）である。
【図５９】実施例１０の設定操作部の説明図（その３）である。
【図６０】画像印刷部の機構概略説明図である。
【図６１】実施例１０の制御部の動作フローチャート（その１）である。
【図６２】実施例１０の制御部の動作フローチャート（その２）である。
【図６３】実施例１０の印刷結果説明図である。
【図６４】実施例１１の構成のブロック図である。
【図６５】実施例１１の記憶部の概略構成図である。
【図６６】実施例１１の設定操作部の説明図である。
【図６７】実施例１１の制御部の動作フローチャート（その１）である。
【図６８】実施例１１の制御部の動作フローチャート（その２）である。
【図６９】実施例１１の印刷結果説明図である。
【符号の説明】
【０２３８】
１    画像入力部
２    記憶部
３    設定操作部
４    画像印刷部
５    表示部
６    制御部
６−１    画像連結方向決定手段
６−２    連結位置決定手段
６−３    画像連結手段
７    データバス
８    制御バス
【図１】
2005260767.tif 000003
【図２】
2005260767.tif 000004
【図３】
2005260767.tif 000005
【図４】
2005260767.tif 000006
【図５】
2005260767.tif 000007
【図６】
2005260767.tif 000008
【図７】
2005260767.tif 000009
【図８】
2005260767.tif 000010
【図９】
2005260767.tif 000011
【図１０】
2005260767.tif 000012
【図１１】
2005260767.tif 000013
【図１２】
2005260767.tif 000014
【図１３】
2005260767.tif 000015
【図１４】
2005260767.tif 000016
【図１５】
2005260767.tif 000017
【図１６】
2005260767.tif 000018
【図１７】
2005260767.tif 000019
【図１８】
2005260767.tif 000020
【図１９】
2005260767.tif 000021
【図２０】
2005260767.tif 000022
【図２１】
2005260767.tif 000023
【図２２】
2005260767.tif 000024
【図２３】
2005260767.tif 000025
【図２４】
2005260767.tif 000026
【図２５】
2005260767.tif 000027
【図２６】
2005260767.tif 000028
【図２７】
2005260767.tif 000029
【図２８】
2005260767.tif 000030
【図２９】
2005260767.tif 000031
【図３０】
2005260767.tif 000032
【図３１】
2005260767.tif 000033
【図３２】
2005260767.tif 000034
【図３３】
2005260767.tif 000035
【図３４】
2005260767.tif 000036
【図３５】
2005260767.tif 000037
【図３６】
2005260767.tif 000038
【図３７】
2005260767.tif 000039
【図３８】
2005260767.tif 000040
【図３９】
2005260767.tif 000041
【図４０】
2005260767.tif 000042
【図４１】
2005260767.tif 000043
【図４２】
2005260767.tif 000044
【図４３】
2005260767.tif 000045
【図４４】
2005260767.tif 000046
【図４５】
2005260767.tif 000047
【図４６】
2005260767.tif 000048
【図４７】
2005260767.tif 000049
【図４８】
2005260767.tif 000050
【図４９】
2005260767.tif 000051
【図５０】
2005260767.tif 000052
【図５１】
2005260767.tif 000053
【図５２】
2005260767.tif 000054
【図５３】
2005260767.tif 000055
【図５４】
2005260767.tif 000056
【図５５】
2005260767.tif 000057
【図５６】
2005260767.tif 000058
【図５７】
2005260767.tif 000059
【図５８】
2005260767.tif 000060
【図５９】
2005260767.tif 000061
【図６０】
2005260767.tif 000062
【図６１】
2005260767.tif 000063
【図６２】
2005260767.tif 000064
【図６３】
2005260767.tif 000065
【図６４】
2005260767.tif 000066
【図６５】
2005260767.tif 000067
【図６６】
2005260767.tif 000068
【図６７】
2005260767.tif 000069
【図６８】
2005260767.tif 000070
【図６９】
2005260767.tif 000071